(57)【特許請求の範囲】
【請求項１】
マルチキャリア無線通信環境において、キャリアを再使用することを容易にする方法であって、
少なくとも、第１のキャリア帯域幅からの周波数再使用セットの第１のサブセットと、第２のキャリア帯域幅からの周波数再使用セットの第２のサブセットとのリソースで、ダウンリンク送信をスケジュールすることと、なお、前記スケジュールすることは、基地局の電力クラスに応じて、前記基地局のための制約の有る再使用または制約の無い再使用に関するものとしての、前記第１のキャリア帯域幅および前記第２のキャリア帯域幅からの周波数再使用セットの分類に少なくとも部分的に基づく、
前記リソースを、スケジュールされたように利用して、前記ダウンリンク送信を送ることと
を備える方法。
【請求項２】
アクセス端末によって経験された干渉レベルに基づいて、少なくとも、前記第１のキャリア帯域幅からの周波数再使用セットの第１のサブセットと、前記第２のキャリア帯域幅からの周波数再使用セットの第２のサブセットとのリソースで、前記ダウンリンク送信をスケジュールすることをさらに備える請求項１に記載の方法。
【請求項３】
前記基地局の周波数再使用セットのおのおのは、異なる基地局に対して異なって分類される請求項１に記載の方法。
【請求項４】
前記第１のキャリア帯域幅を、前記第１のキャリア帯域幅からの周波数再使用セットに分割することと、
前記第２のキャリア帯域幅を、前記第２のキャリア帯域幅からの周波数再使用セットに分割することと、
前記第１のキャリア帯域幅からの周波数再使用セットのおのおのを、前記基地局の電力クラスに応じて、制約の無い再使用または制約の有る再使用のうちの１つに関するものとして分類することと、
前記第２のキャリア帯域幅からの周波数再使用セットのおのおのを、前記基地局の電力クラスに応じて、制約の無い再使用または制約の有る再使用のうちの１つに関するものとして分類することと
をさらに備える請求項１に記載の方法。
【請求項５】
前記第１のキャリア帯域幅からの周波数再使用セットのおのおのを、さらに、前記第１のキャリア帯域幅に関連付けられたキャリア電力レベルに応じて、制約の無い再使用または制約の有る再使用のうちの１つに関するものとして分類することと、
前記第２のキャリア帯域幅からの周波数再使用セットのおのおのを、さらに、前記第２のキャリア帯域幅に関連付けられたキャリア電力レベルに応じて、制約の無い再使用または制約の有る再使用のうちの１つに関するものとして分類することと
をさらに備える請求項４に記載の方法。
【請求項６】
前記アクセス端末によって経験された干渉レベルを、受信されたフィードバックに基づいて識別することをさらに備える請求項２に記載の方法。
【請求項７】
前記第１のキャリア帯域幅からの周波数再使用セットの第１のサブセットと、前記第２のキャリア帯域幅からの周波数再使用セットの第２のサブセットとは、前記基地局が低電力の基地局であり、前記第１のキャリア帯域幅と前記第２のキャリア帯域幅からの制約の有る再使用セットで前記アクセス端末によって経験された干渉レベルが、しきい値を超える場合、制約の無い再使用セットを含む請求項２に記載の方法。
【請求項８】
前記第１のキャリア帯域幅からの周波数再使用セットの第１のサブセットと、前記第２のキャリア帯域幅からの周波数再使用セットの第２のサブセットとは、前記基地局が高電力の基地局であり、前記第１のキャリア帯域幅と前記第２のキャリア帯域幅からの制約の有る再使用セットで前記アクセス端末によって経験された干渉レベルが、しきい値を超える場合、制約の無い再使用セットを含む請求項２に記載の方法。
【請求項９】
前記第１のキャリア帯域幅からの周波数再使用セットの第１のサブセットと、前記第２のキャリア帯域幅からの周波数再使用セットの第２のサブセットとは、前記基地局が低電力の基地局であり、前記第１のキャリア帯域幅と前記第２のキャリア帯域幅からの制約の有る再使用セットで前記アクセス端末によって経験された干渉レベルが、しきい値未満である場合、制約の無い再使用セットと制約の有る再使用セットとを含む請求項２に記載の方法。
【請求項１０】
前記ダウンリンク送信を、前記第１のキャリア帯域幅および前記第２のキャリア帯域幅からの制約の無い再使用セットおよび制約の有る再使用セットのリソースで、低電力の基地局のフル電力レベルで送ることをさらに備える請求項１に記載の方法。
【請求項１１】
前記第１のキャリア帯域幅からの周波数再使用セットの第１のサブセットと、前記第２のキャリア帯域幅からの周波数再使用セットの第２のサブセットとは、前記基地局が高電力の基地局であり、前記第１のキャリア帯域幅と前記第２のキャリア帯域幅からの制約の有る再使用セットで前記アクセス端末によって経験された干渉レベルがしきい値を下回る場合、制約の無い再使用セットと制約の有る再使用セットを含む請求項２に記載の方法。
【請求項１２】
前記ダウンリンク送信を、前記第１のキャリア帯域幅および前記第２のキャリア帯域幅からの制約の無い再使用セットのリソースで、高電力の基地局のフル電力レベルで送ることと、
前記ダウンリンク送信を、前記第１のキャリア帯域幅および前記第２のキャリア帯域幅からの制約の有る再使用セットのリソースで、前記高電力の基地局の低電力レベルで送ることと
をさらに備える請求項１に記載の方法。
【請求項１３】
前記第１のキャリア帯域幅、または前記第２のキャリア帯域幅のうちの少なくとも１つが、低電力の共有キャリアに対応する場合、前記第１のキャリア帯域幅または前記第２のキャリア帯域幅のうちの少なくとも１つについて、キャリア帯域幅にわたって、サブ・フレーム内の予約された最初のＭ個の直交周波数分割多重化（ＯＦＤＭ）シンボルでの、高電力の基地局からの送信を禁止することをさらに備え、Ｍは整数である請求項１に記載の方法。
【請求項１４】
Ｍの値は、物理制御フォーマット・インジケータ・チャネル（ＰＣＦＩＣＨ）によってシグナルされたもの、または、予め整数３と定義されたもののうちの少なくとも１つである請求項１３に記載の方法。
【請求項１５】
キャリア電力レベル、基地局の電力クラス、および、前記第１のキャリア帯域幅または前記第２のキャリア帯域幅のうちの少なくとも１つからの周波数再使用セットの分類に応じて基準信号を設定することをさらに備える請求項１に記載の方法。
【請求項１６】
前記基準信号を設定することはさらに、前記基準信号のために使用されるリソース、または、前記基準信号のために使用される電力レベルのうちの少なくとも１つを選択することを備える請求項１５に記載の方法。
【請求項１７】
前記基準信号は、マクロ・セル基地局のために、低電力の共有キャリアで、制約の有る再使用セットにおける低電力、または、制約の無い再使用セットにおける高電力のうちの少なくとも１つを使用するように設定された請求項１６に記載の方法。
【請求項１８】
前記低電力の基地局の、制約の無い再使用セット内の、制約の無い電力を持つ共有キャリアに、低電力の基地局の制御チャネルを配置することをさらに備える請求項１に記載の方法。
【請求項１９】
無線通信装置であって、
少なくとも、第１のキャリア帯域幅からの周波数再使用セットの第１のサブセット、および、第２のキャリア帯域幅からの周波数再使用セットの第２のサブセットのリソースで、ダウンリンク送信をスケジュールすることと、なお、前記スケジュールすることは、基地局の電力クラスに応じて、前記基地局のための制約の有る再使用または制約の無い再使用に関するものとしての、前記第１のキャリア帯域幅および前記第２のキャリア帯域幅からの周波数再使用セットの分類に少なくとも部分的に基づく、
前記リソースを、スケジュールされたように用いて、前記ダウンリンク送信を送ることと、に関連する命令群を保持するメモリと、
前記メモリに接続され、前記メモリに保持された命令群を実行するように構成されたプロセッサと
を備える無線通信装置。
【請求項２０】
前記メモリはさらに、
前記第１のキャリア帯域幅を、前記第１のキャリア帯域幅からの周波数再使用セットに分割することと、
前記第２のキャリア帯域幅を、前記第２のキャリア帯域幅からの周波数再使用セットに分割することと、
前記第１のキャリア帯域幅からの周波数再使用セットのおのおのを、前記基地局の電力クラス、および、前記第１のキャリア帯域幅に関連付けられたキャリア電力レベルに応じて、制約の無い再使用または制約の有る再使用のうちの１つに関するものとして分類することと、
前記第２のキャリア帯域幅からの周波数再使用セットのおのおのを、前記基地局の電力クラス、および、前記第２のキャリア帯域幅に関連付けられたキャリア電力レベルに応じて、制約の無い再使用または制約の有る再使用のうちの１つに関するものとして分類することと、
に関連する命令群を保持する請求項１９に記載の無線通信装置。
【請求項２１】
前記メモリはさらに、
アクセス端末によって経験された干渉レベルを、受信されたフィードバックに基づいて認識すること、
に関連する命令群を保持する請求項１９に記載の無線通信装置。
【請求項２２】
前記第１のキャリア帯域幅からの周波数再使用セットの第１のサブセットと、前記第２のキャリア帯域幅からの周波数再使用セットの第２のサブセットとは、前記基地局が低電力の基地局であり、前記第１のキャリア帯域幅と前記第２のキャリア帯域幅からの制約の有る再使用セットでアクセス端末によって経験された干渉レベルが、しきい値を超える場合、制約の無い再使用セットを含む請求項１９に記載の無線通信装置。
【請求項２３】
前記第１のキャリア帯域幅からの周波数再使用セットの第１のサブセットと、前記第２のキャリア帯域幅からの周波数再使用セットの第２のサブセットとは、前記基地局が高電力の基地局であり、前記第１のキャリア帯域幅と前記第２のキャリア帯域幅からの制約の有る再使用セットで前記アクセス端末によって経験された干渉レベルが、しきい値を超える場合、制約の無い再使用セットを含む請求項１９に記載の無線通信装置。
【請求項２４】
前記第１のキャリア帯域幅からの周波数再使用セットの第１のサブセットと、前記第２のキャリア帯域幅からの周波数再使用セットの第２のサブセットとは、前記基地局が低電力の基地局であり、前記第１のキャリア帯域幅と前記第２のキャリア帯域幅からの制約の有る再使用セットでアクセス端末によって経験された干渉レベルが、しきい値未満である場合、制約の無い再使用セットと制約の有る再使用セットとを含む請求項１９に記載の無線通信装置。
【請求項２５】
前記メモリはさらに、
前記ダウンリンク送信を、前記第１のキャリア帯域幅および前記第２のキャリア帯域幅からの制約の無い再使用セットおよび制約の有る再使用セットのリソースで、低電力の基地局のフル電力レベルで送ること、
に関連する命令群を保持する請求項１９に記載の無線通信装置。
【請求項２６】
前記第１のキャリア帯域幅からの周波数再使用セットの第１のサブセットと、前記第２のキャリア帯域幅からの周波数再使用セットの第２のサブセットとは、前記基地局が高電力の基地局であり、前記第１のキャリア帯域幅と前記第２のキャリア帯域幅からの制約の有る再使用セットでアクセス端末によって経験された干渉レベルがしきい値を下回る場合、制約の無い再使用セットと制約の有る再使用セットを含む請求項１９に記載の無線通信装置。
【請求項２７】
前記メモリはさらに、
前記ダウンリンク送信を、前記第１のキャリア帯域幅および前記第２のキャリア帯域幅からの制約の無い再使用セットのリソースで、高電力の基地局のフル電力レベルで送ることと、
前記ダウンリンク送信を、前記第１のキャリア帯域幅および前記第２のキャリア帯域幅からの制約の有る再使用セットのリソースで、前記高電力の基地局の低電力レベルで送ることと、
に関連する命令群を保持する請求項１９に記載の無線通信装置。
【請求項２８】
前記メモリはさらに、前記第１のキャリア帯域幅、または前記第２のキャリア帯域幅のうちの少なくとも１つが、低電力の共有キャリアに対応する場合、前記第１のキャリア帯域幅または前記第２のキャリア帯域幅のうちの少なくとも１つについて、キャリア帯域幅にわたって、サブ・フレーム内の予約された最初のＭ個の直交周波数分割多重化（ＯＦＤＭ）シンボルでの高電力の基地局からの送信を禁止することに関連する命令群を保持し、Ｍは整数である請求項１９に記載の無線通信装置。
【請求項２９】
Ｍの値は、物理制御フォーマット・インジケータ・チャネル（ＰＣＦＩＣＨ）によってシグナルされたもの、または、予め整数３と定義されたもののうちの少なくとも１つである請求項２８に記載の無線通信装置。
【請求項３０】
前記メモリはさらに、基準信号のために使用されるリソース、または、前記基準信号のために使用される電力レベルのうちの少なくとも１つを選択することによって、前記第１のキャリア帯域幅または前記第２のキャリア帯域幅のうちの少なくとも１つからの周波数再使用セットの分類、基地局の電力クラス、および、キャリア電力レベルに応じて前記基準信号を設定すること、に関連する命令群を保持する請求項１９に記載の無線通信装置。
【請求項３１】
前記メモリはさらに、前記低電力の基地局の、制約の無い再使用セット内の、制約の無い電力を持つ共有キャリアに、低電力の基地局の制御チャネルを配置すること、に関連する命令群を保持する請求項１９に記載の無線通信装置。
【請求項３２】
マルチキャリア無線通信環境において、リソースを割り当てることをイネーブルする無線通信装置であって、
少なくとも、前記第１のキャリア帯域幅からの周波数再使用セットの第１のサブセットと、前記第２のキャリア帯域幅からの周波数再使用セットの第２のサブセットのリソースで、ダウンリンク送信をスケジュールする手段と、なお、前記スケジュールすることは、基地局の電力クラスに応じて、前記基地局のための制約の有る再使用または制約の無い再使用に関するものとしての、前記第１のキャリア帯域幅および前記第２のキャリア帯域幅からの周波数再使用セットの分類に少なくとも部分的に基づく、
前記リソースを、スケジュールされたように用いて、前記ダウンリンク送信を送る手段と
を備える無線通信装置。
【請求項３３】
アクセス端末によって経験された干渉レベルを評価する手段をさらに備え、前記スケジュールする手段はさらに、前記アクセス端末によって経験された干渉レベルに基づいて、前記ダウンリンク送信をスケジュールする、請求項３２に記載の無線通信装置。
【請求項３４】
前記ダウンリンク送信が送られる電力レベルを制御する手段をさらに備える請求項３２に記載の無線通信装置。
【請求項３５】
少なくとも、第１のキャリア帯域幅からの周波数再使用セットの第１のサブセットと、第２のキャリア帯域幅からの周波数再使用セットの第２のサブセットとのリソースを、ダウンリンク送信のために割り当てるためのコードと、なお、前記リソースは、基地局の電力クラスに応じて、前記基地局のための制約の有る再使用または制約の無い再使用に関するものとしての、前記第１のキャリア帯域幅および前記第２のキャリア帯域幅からの周波数再使用セットの分類に少なくとも部分的に基づいて割り当てられ、
前記割り当てられたリソースによって、前記ダウンリンク送信を送るためのコードと
を記憶したコンピュータ読取可能な記憶媒体。
【請求項３６】
前記リソースは、アクセス端末によって示された干渉レベルに基づいて割り当てられる請求項３５に記載のコンピュータ読取可能な記憶媒体。
【請求項３７】
前記ダウンリンク送信が送られる電力レベルを制御するためのコードをさらに記憶した請求項３５に記載のコンピュータ読取可能な記憶媒体。
【請求項３８】
無線通信装置であって、
アクセス端末によって経験された干渉レベルを、受信されたフィードバックに基づいて認識し、
少なくとも、第１のキャリア帯域幅からの周波数再使用セットの第１のサブセットと、第２のキャリア帯域幅からの周波数再使用セットの第２のサブセットのリソースで、ダウンリンク送信をスケジュールし、なお、前記スケジュールすることは、基地局の電力クラスに応じて、前記基地局のための制約の有る再使用または制約の無い再使用に関するものとしての、前記第１のキャリア帯域幅および前記第２のキャリア帯域幅からの周波数再使用セットの分類に少なくとも部分的に基づく、
前記リソースを、スケジュールされたように用いて、前記ダウンリンク送信を送る、ように構成されたプロセッサを備える無線通信装置。
【請求項３９】
マルチキャリア無線通信環境において動作することを容易にする方法であって、
ダウンリンク・チャネル条件をモニタすることと、
前記ダウンリンク・チャネル条件に対応するフィードバックを送信することと、
前記フィードバックと、基地局の電力クラスに応じて、前記基地局のための制約の有る再使用または制約の無い再使用に関するものとしての、第１のキャリア帯域幅および第２のキャリア帯域幅からの周波数再使用セットの分類とに少なくとも部分的に基づいて割り当てられた、少なくとも、前記第１のキャリア帯域幅からの周波数再使用セットの第１のサブセットと、前記第２のキャリア帯域幅からの周波数再使用セットの第２のサブセットのリソースで、ダウンリンク送信を受信することと
を備える方法。
【請求項４０】
前記周波数再使用セットのおのおのは、それぞれのキャリア電力レベルに応じて、制約の無い再使用または制約の有る再使用のうちの１つに関するものとして分類される請求項３９に記載の方法。
【請求項４１】
前記第１のキャリア帯域幅からの周波数再使用セットの第１のサブセットと、前記第２のキャリア帯域幅からの周波数再使用セットの第２のサブセットとは、前記基地局が低電力の基地局であり、前記第１のキャリア帯域幅および前記第２のキャリア帯域幅からの、制約の有る再使用セットにおけるダウンリンク・チャネル条件が、しきい値を超える場合、制約の無い再使用セットを含む請求項３９に記載の方法。
【請求項４２】
前記第１のキャリア帯域幅からの周波数再使用セットの第１のサブセットと、前記第２のキャリア帯域幅からの周波数再使用セットの第２のサブセットとは、前記基地局が高電力の基地局であり、前記第１のキャリア帯域幅および前記第２のキャリア帯域幅からの、制約の有る再使用セットにおけるダウンリンク・チャネル条件が、しきい値を超える場合、制約の無い再使用セットを含む請求項３９に記載の方法。
【請求項４３】
前記第１のキャリア帯域幅からの周波数再使用セットの第１のサブセットと、前記第２のキャリア帯域幅からの周波数再使用セットの第２のサブセットとは、前記基地局が低電力の基地局であり、前記第１のキャリア帯域幅と前記第２のキャリア帯域幅からの、制約の有る再使用セットにおけるダウンリンク・チャネル条件が、しきい値を下回る場合、制約の無い再使用セットおよび制約の有る再使用セットを含む請求項３９に記載の方法。
【請求項４４】
前記第１のキャリア帯域幅からの周波数再使用セットの第１のサブセットと、前記第２のキャリア帯域幅からの周波数再使用セットの第２のサブセットとは、前記基地局が高電力の基地局であり、前記第１のキャリア帯域幅と前記第２のキャリア帯域幅からの、制約の有る再使用セットにおけるダウンリンク・チャネル条件が、しきい値を下回る場合、制約の無い再使用セットおよび制約の有る再使用セットを含む請求項３９に記載の方法。
【請求項４５】
無線通信装置であって、
ダウンリンク・チャネル条件をモニタすることと、
前記ダウンリンク・チャネル条件に対応するフィードバックを送信することと、
前記フィードバックと、基地局の電力クラスに応じて、前記基地局のための制約の有る再使用または制約の無い再使用に関するものとしての、第１のキャリア帯域幅および第２のキャリア帯域幅からの周波数再使用セットの分類とに基づいて割り当てられた、少なくとも、前記第１のキャリア帯域幅からの周波数再使用セットの第１のサブセットと、前記第２のキャリア帯域幅からの周波数再使用セットの第２のサブセットのリソースで、ダウンリンク送信を受信することと、
に関連する命令群を保持するメモリと、
前記メモリに接続され、前記メモリに保持された命令群を実行するように構成されたプロセッサと
を備える無線通信装置。
【請求項４６】
前記周波数再使用セットのおのおのは、それぞれのキャリア電力レベルに応じて、制約の無い再使用または制約の有る再使用のうちの１つに関するものとして分類される請求項４５に記載の無線通信装置。
【請求項４７】
前記メモリはさらに、前記第１のキャリア帯域幅および前記第２のキャリア帯域幅からの周波数再使用セットのおのおのについて、前記ダウンリンク・チャネル条件をモニタすること、に関連する命令群を保持する請求項４５に記載の無線通信装置。
【請求項４８】
マルチキャリア無線通信環境において動作することをイネーブルする無線通信装置であって、
ダウンリンク干渉を測定する手段と、
前記ダウンリンク干渉をレポートする手段と、
前記ダウンリンク干渉と、基地局の電力クラスに応じて、前記基地局のための制約の有る再使用または制約の無い再使用に関するものとしての、第１のキャリア帯域幅および第２のキャリア帯域幅からの周波数再使用セットの分類とに少なくとも部分的に基づいて割り当てられた、少なくとも、前記第１のキャリア帯域幅からの周波数再使用セットの第１のサブセット、および、前記第２のキャリア帯域幅からの周波数再使用セットの第２のサブセットのリソースで、ダウンリンク送信を受信する手段と
を備える無線通信装置。
【請求項４９】
前記周波数再使用セットのおのおのは、それぞれのキャリア電力レベルに応じて、制約の無い再使用または制約の有る再使用のうちの１つに関するものとして分類される請求項４８に記載の無線通信装置。
【請求項５０】
測定されたダウンリンク干渉をレポートするためのコードと、
前記測定されたダウンリンク干渉と、基地局の電力クラスに応じて、前記基地局のための制約の有る再使用または制約の無い再使用に関するものとしての、第１のキャリア帯域幅および第２のキャリア帯域幅からの周波数再使用セットの分類とに少なくとも部分的に基づいて割り当てられた、少なくとも、前記第１のキャリア帯域幅からの周波数再使用セットの第１のサブセットと、前記第２のキャリア帯域幅からの周波数再使用セットの第２のサブセットのリソースで、ダウンリンク送信を取得するためのコードと
を記憶したコンピュータ読取可能な記憶媒体。
【請求項５１】
前記周波数再使用セットのおのおのは、それぞれのキャリア電力レベルに応じて、制約の無い再使用または制約の有る再使用のうちの１つに関するものとして分類される請求項５０に記載のコンピュータ読取可能な記憶媒体。
【請求項５２】
無線通信装置であって、
ダウンリンク・チャネル条件をモニタし、
前記ダウンリンク・チャネル条件に対応するフィードバックを送信し、
前記フィードバックと、基地局の電力クラスに応じて、前記基地局のための制約の有る再使用または制約の無い再使用に関するものとしての、第１のキャリア帯域幅および第２のキャリア帯域幅からの周波数再使用セットの分類とに基づいて割り当てられた、少なくとも、前記第１のキャリア帯域幅からの周波数再使用セットの第１のサブセットと、前記第２のキャリア帯域幅からの周波数再使用セットの第２のサブセットのリソースで、ダウンリンク送信を受信する、
ように構成されたプロセッサを備える無線通信装置。
【発明の詳細な説明】
【関連出願に対する相互参照】
【０００１】
本願は、２００９年１月７日に出願され「無線通信におけるキャリア再使用を改善するための方法および装置」（Ａ  ＭＥＴＨＯＤ  ＡＮＤ  ＡＰＰＡＲＡＴＵＳ  ＦＯＲ  ＩＭＰＲＯＶＩＮＧ  ＣＡＲＲＩＥＲ  ＲＥＵＳＥ  ＩＮ  Ａ  ＷＩＲＥＬＥＳＳ  ＣＯＭＭＵＮＩＣＡＴＩＯＮ）と題された米国仮特許出願６１／１４３，１２９の利益を主張する。上記出願の全体は、参照によって本明細書に組み込まれる。
【技術分野】
【０００２】
以下の記載は、一般に、無線通信に関し、さらに詳しくは、ヘテロジニアスな無線通信システムにおいて、複数のキャリアとの部分的周波数再使用（ＦＦＲ：fractional frequency reuse）を適用することに関する。
【背景技術】
【０００３】
無線通信システムはさまざまなタイプの通信を提供するために広く開発され、例えば、音声および／またはデータが、そのような無線通信システムによって提供されうる。一般的な無線通信システムまたはネットワークは、（例えば、帯域幅、送信電力等のような）１または複数の共有リソースへ、複数のユーザ・アクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のアクセス端末のための通信を同時にサポートすることができる。おのおののアクセス端末は、順方向リンクおよび逆方向リンクによる送信を介して、１または複数の基地局と通信することができる。順方向リンク（すなわち、ダウンリンク）は、基地局からアクセス端末への通信リンクを称し、逆方向リンク（すなわち、アップリンク）は、アクセス端末から基地局への通信リンクを称する。この通信リンクは、単一入力単一出力システム、複数入力単一出力システム、あるいは複数入力複数出力（ＭＩＭＯ）システムによって確立される。
【０００５】
ＭＩＭＯシステムはデータ送信のために一般に、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００６】
ＭＩＭＯシステムは、順方向リンク通信および逆方向リンク通信を、共通の物理媒体によって分割するさまざまなデュプレクス技術をサポートしうる。例えば、周波数分割デュプレクス（ＦＤＤ）システムは、順方向リンク通信および逆方向リンク通信のために異なる周波数領域を利用しうる。さらに、時分割デュプレクス（ＴＤＤ）システムでは、相互原理によって、逆方向リンク・チャネルから順方向リンク・チャネルを推定できるように、順方向リンク送信および逆方向リンク送信が、同じ周波数領域にある。
【０００７】
無線通信システムはしばしば、有効通信範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効通信範囲領域内のアクセス端末は、合成ストリームによって搬送される１つ、１つより多い、またはすべてのデータ・ストリームを受信するために適用されうる。同様に、モバイル・デバイスは、基地局あるいは他のモバイル・デバイスへデータを送信することができる。
【０００８】
ヘテロジニアスな無線通信システムは、一般に、おのおのが異なるセル・サイズおよび電力クラスに関連付けられたさまざまなタイプの基地局を含みうる。例えば、マクロ・セル基地局は、一般に、マスト、屋上、その他の既存の構造等の上に搭載されたアンテナ（単数または複数）を導入する。さらに、マクロ・セル基地局はしばしば、数１０ワットのオーダの電力出力を有しており、広いエリアのために有効通信範囲を提供しうる。フェムト・セル基地局は、最近出現した別のクラスの基地局である。フェムト・セル基地局は、一般に、住宅環境または小規模ビジネス環境のために設計されており、バックホールのための既存のブロードバンド・インターネット接続（例えば、デジタル加入者線（ＤＳＬ）、ケーブル等）およびアクセス端末と通信するために、無線技術（例えば、３ＧＰＰユニバーサル・モバイル・テレコミュニケーション・システム（ＵＭＴＳ）またはロング・ターム・イボリューション（ＬＴＥ）、１ｘイボリューション・データ・オプティマイズド（１ｘＥＶ−ＤＯ）等）を用いて、アクセス端末へ無線有効通信範囲を提供しうる。
【０００９】
フェムト・セル基地局はまた、ホーム・ノードＢ（ＨＮＢ）、フェムト・セル、クローズド加入者グループ（ＣＳＧ）セル等とも称されうる。ピコ・セル基地局は、ヘテロジニアスな無線通信システムにしばしば含まれる、別のクラスの基地局である。ピコ・セル基地局は、一般に、マクロ・セル基地局と比較して、より低電力で送信し、しばしば、小さなエリア（例えば、ビルディング内、航空機内等）をカバーする。さらに、ピコ・セル基地局は、しばしば、マクロ・セル基地局の有効通信範囲エリア内に位置する。さらに、ヘテロジニアスな無線通信システムは、例えばミクロ・セル基地局等のような他のタイプの基地局を含みうる。
【００１０】
従来の無線通信システムは、しばしば、ダウンリンク動作のために、１つのキャリアを、アップリンク動作のために、１つのキャリアを利用する。最近では、アップリンクにおける複数のキャリアの利用、および／または、ダウンリンクにおける複数のキャリアの利用をサポートする無線通信システムが、より普及している。したがって、アクセス端末は、複数のキャリアで、データを送信および／または受信しうる。例えば、キャリア・アグリゲーションをサポートすることによって、ダウンリンク動作のための（例えば、２０ＭＨｚを超えるような）より大きなシステム帯域幅が生成されうる。しかしながら、一般的なアプローチは、マルチキャリア・ヘテロジニアス・ネットワーク構成内の、異なる電力クラスを持つ基地局間の干渉を、不適切に管理しうる。
【発明の概要】
【００１１】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【００１２】
１または複数の実施形態および対応する開示によれば、マルチキャリア・ヘテロジニアス無線通信環境におけるキャリア内で、部分的周波数再使用の適用を容易にすることに関連するさまざまな態様が記載される。おのおののキャリアは、複数の周波数再使用セットに分割されうる。さらに、おのおののキャリアからの周波数再使用セットのおのおのは、制約の無い再使用または制約の有る再使用のうちの１つに関するものとして分類されうる。さらに、少なくとも、第１のキャリア帯域幅からの周波数再使用セットの第１のサブセット、および、第２のキャリア帯域幅からの周波数再使用セットの第２のサブセットのリソースで、ダウンリンク送信がスケジュールされうる。例えば、これらリソースは、基地局の電力クラス、周波数再使用セットの分類（例えば、制約の無い再使用か、制約の有る再使用か等）、および／または、ダウンリンク・チャネル条件に関連して受信されたフィードバックに基づいてスケジュールされうる。
【００１３】
関連する態様によれば、本明細書では、マルチキャリア・ヘテロジニアス無線通信環境においてキャリアを再使用することを容易にする方法が記載される。この方法は、少なくとも、第１のキャリア帯域幅からの周波数再使用セットの第１のサブセット、および、第２のキャリア帯域幅からの周波数再使用セットの第２のサブセットのリソースで、ダウンリンク送信をスケジュールすることを含みうる。さらに、この方法は、リソースを、スケジュールされたように用いて、ダウンリンク送信を送ることを備えうる。
【００１４】
別の態様は、無線通信装置に関する。この無線通信装置は、基地局の電力クラス、第１のキャリア帯域幅および第２のキャリア帯域幅からの周波数再使用セットの分類、または、アクセス端末によって経験された干渉レベルのうちの１または複数に基づいて、少なくとも、第１のキャリア帯域幅からの周波数再使用セットの第１のサブセット、および、第２のキャリア帯域幅からの周波数再使用セットの第２のサブセットのリソースで、ダウンリンク送信をスケジュールすることと、リソースを、スケジュールされたように用いて、ダウンリンク送信を送ることと、に関連する命令群を保持するメモリを含みうる。さらに、この無線通信装置は、メモリに接続され、メモリに保持された命令群を実行するように構成されたプロセッサを含みうる。
【００１５】
さらに別の態様は、マルチキャリア・ヘテロジニアス無線通信環境において、リソースを割り当てることをイネーブルする無線通信装置に関する。この無線通信装置は、基地局の電力クラス、第１のキャリア帯域幅および第２のキャリア帯域幅からの周波数再使用セットの分類、または、アクセス端末によって経験された干渉レベルのうちの１または複数に基づいて、少なくとも、第１のキャリア帯域幅からの周波数再使用セットの第１のサブセット、および、第２のキャリア帯域幅からの周波数再使用セットの第２のサブセットのリソースで、ダウンリンク送信をスケジュールする手段を含みうる。さらに、この無線通信装置は、リソースを、スケジュールされたように用いて、ダウンリンク送信を送る手段を含みうる。
【００１６】
さらに別の態様は、コンピュータ読取可能媒体を備えるコンピュータ・プログラム製品に関する。このコンピュータ読取可能媒体は、少なくとも、第１のキャリア帯域幅からの周波数再使用セットの第１のサブセット、および、第２のキャリア帯域幅からの周波数再使用セットの第２のサブセットのリソースを、ダウンリンク送信のために割り当てるためのコードを含みうる。さらに、このコンピュータ読取可能媒体は、割り当てられたリソースによって、ダウンリンク送信を送るためのコードを含みうる。
【００１７】
別の態様によれば、無線通信装置は、プロセッサを含みうる。ここで、プロセッサは、アクセス端末によって経験された干渉レベルを、受信されたフィードバックに基づいて分類するように構成されうる。さらに、このプロセッサは、基地局の電力クラス、第１のキャリア帯域幅および第２のキャリア帯域幅からの周波数再使用セットの分類、または、アクセス端末によって経験された干渉レベルのうちの１または複数に基づいて、少なくとも、第１のキャリア帯域幅からの周波数再使用セットの第１のサブセット、および、第２のキャリア帯域幅からの周波数再使用セットの第２のサブセットのリソースで、ダウンリンク送信をスケジュールするように構成されうる。さらに、このプロセッサは、スケジュールされたリソースを用いて、ダウンリンク送信を送るように構成されうる。
【００１８】
他の態様によれば、本明細書では、マルチキャリア・ヘテロジニアス無線通信環境において動作することを容易にする方法が記載される。この方法は、ダウンリンク・チャネル条件をモニタすることを含みうる。さらに、この方法は、ダウンリンク・チャネル条件に対応するフィードバックを送信することを備えうる。さらに、この方法は、このフィードバックに少なくとも部分的に基づいて割り当てられた、少なくとも、第１のキャリア帯域幅からの周波数再使用セットの第１のサブセット、および、第２のキャリア帯域幅からの周波数再使用セットの第２のサブセットのリソースで、ダウンリンク送信を受信することを含みうる。
【００１９】
別の態様は、無線通信装置に関する。この無線通信装置は、ダウンリンク・チャネル条件をモニタすることと、ダウンリンク・チャネル条件に対応するフィードバックを送信することと、このフィードバック、基地局の電力クラス、および、第１のキャリア帯域幅および第２のキャリア帯域幅からの周波数再使用セットの分類に基づいて割り当てられた、少なくとも、第１のキャリア帯域幅からの周波数再使用セットの第１のサブセット、および、第２のキャリア帯域幅からの周波数再使用セットの第２のサブセットのリソースで、ダウンリンク送信を受信することと、に関連する命令群を保持するメモリを含みうる。さらに、この無線通信装置は、メモリに接続され、メモリに保持された命令群を実行するように構成されたプロセッサを含みうる。
【００２０】
さらに別の態様は、マルチキャリア・ヘテロジニアス無線通信環境において動作することをイネーブルする無線通信装置に関する。この無線通信装置は、ダウンリンク干渉を測定する手段を含みうる。さらに、この無線通信装置は、ダウンリンク干渉をレポートする手段を含みうる。さらに、この無線通信装置は、ダウンリンク干渉に少なくとも部分的に基づいて割り当てられた、少なくとも、第１のキャリア帯域幅からの周波数再使用セットの第１のサブセット、および、第２のキャリア帯域幅からの周波数再使用セットの第２のサブセットのリソースで、ダウンリンク送信を受信する手段を含みうる。
【００２１】
また、別の態様は、コンピュータ読取可能媒体を備えうるコンピュータ・プログラム製品に関する。このコンピュータ読取可能媒体は、測定されたダウンリンク干渉をレポートするためのコードを含みうる。さらに、このコンピュータ読取可能媒体は、測定されたダウンリンク干渉に少なくとも部分的に基づいて割り当てられた、少なくとも、第１のキャリア帯域幅からの周波数再使用セットの第１のサブセット、および、第２のキャリア帯域幅からの周波数再使用セットの第２のサブセットのリソースで、ダウンリンク送信を取得するためのコードを含みうる。
【００２２】
別の態様によれば、無線通信装置は、プロセッサを含みうる。ここで、プロセッサは、ダウンリンク・チャネル条件をモニタするように構成されうる。さらに、このプロセッサは、ダウンリンク・チャネル条件に対応するフィードバックを送信するように構成されうる。さらに、このプロセッサは、このフィードバック、基地局の電力クラス、および、第１のキャリア帯域幅および第２のキャリア帯域幅からの周波数再使用セットの分類に基づいて割り当てられた、少なくとも、第１のキャリア帯域幅からの周波数再使用セットの第１のサブセット、および、第２のキャリア帯域幅からの周波数再使用セットの第２のサブセットのリソースで、ダウンリンク送信を受信するように構成されうる。
【００２３】
前述した目的および関連する目的を達成するために、１または複数の実施形態は、後に完全に説明され、特許請求の範囲において特に指摘された特徴を備える。本明細書に記述された以下の説明および添付図面は、１または複数の実施形態のある実例となる態様を詳述する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００２４】
【図１】図１は、本明細書に記載されたさまざまな態様にしたがう無線通信システムの実例である。
【図２】図２は、マルチキャリア・ヘテロジニアス無線通信環境において、ダウンリンクにおけるキャリア分配を導入するシステム例の例示である。
【図３】図３は、無線通信環境において、電力制御を利用して、ダウンリンクでキャリア再使用を実施するシステム例の例示である。
【図４】図４は、マルチキャリア・ヘテロジニアス無線通信環境におけるキャリア内で、部分的周波数再使用を適用するシステム例の図示である。
【図５】図５は、マルチキャリア・ヘテロジニアス無線通信環境におけるキャリア内で、部分的周波数再使用を利用している場合、制御チャネル送信のジャミングを緩和するシステム例の図示である。
【図６】図６は、マルチキャリア・ヘテロジニアス無線通信環境における共有キャリアのための部分的周波数再使用セット構成例の図示である。
【図７】図７は、マルチキャリア・ヘテロジニアス無線通信環境における共有キャリアのための部分的周波数再使用セット構成例の図示である。
【図８】図８は、マルチキャリア・ヘテロジニアス無線通信環境におけるキャリア内で部分的周波数再使用を利用するシステム例の図示である。
【図９】図９は、マルチキャリア・ヘテロジニアス無線通信環境において、キャリアの再使用を容易にする方法例の例示である。
【図１０】図１０は、マルチキャリア・ヘテロジニアス無線通信環境において、ダウンリンク送信を取得することを容易にする方法例の例示である。
【図１１】図１１は、マルチキャリア・ヘテロジニアス無線通信システム内で動作するアクセス端末例の図示である。
【図１２】図１２は、マルチキャリア・ヘテロジニアス無線通信環境において、部分的周波数再使用を導入するシステム例の図示である。
【図１３】図１３は、本明細書で開示されたされたさまざまなシステムおよび方法と共に適用されうる無線ネットワーク環境の実例である。
【図１４】図１４は、マルチキャリア・ヘテロジニアス無線通信環境において、ダウンリンク送信のためのリソースを割り当てることをイネーブルするシステム例の図示である。
【図１５】図１５は、マルチキャリア・ヘテロジニアス無線通信環境において、ダウンリンク送信を受信することをイネーブルするシステム例の図示である。
【発明を実施するための形態】
【００２５】
さまざまな実施形態が、全体を通じて同一要素を示すために同一の参照番号が使用される図面を参照して説明される。次の記載では、説明の目的のために、多数の特定の詳細が、１または複数の実施形態についての完全な理解を提供するために記載される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２６】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２７】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。それに加えて、ＣＤＭＡ２０００およびＵＭＢは、「第３世代パートナシップ計画２」（３ＧＰＰ２）と命名された機構からのドキュメントに記述されている。さらに、そのような無線通信システムは、アンペア（ｕｎｐａｉｒｅｄ）な無許可のスペクトルをしばしば用いるピア・トゥ・ピア（例えば、モバイル・トゥ・モバイル）アド・ホック・ネットワーク・システム、８０２．ｘｘ無線ＬＡＮ、Ｂｌｕｅｔｏｏｔｈ（登録商標）、および、その他任意の短距離または長距離の無線通信技術を含みうる。
【００２８】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２９】
さらに、本明細書ではさまざまな実施形態が、アクセス端末に関連して記載される。アクセス端末はまた、システム、加入者ユニット、加入者局、モバイル局、モバイル、遠隔局、遠隔端末、モバイル・デバイス、ユーザ端末、端末、無線通信デバイス、ユーザ・エージェント、ユーザ・デバイス、またはユーザ機器（ＵＥ）とも称されうる。アクセス端末は、セルラ電話、コードレス電話、セッション初期化プロトコル（ＳＩＰ）電話、ワイヤレス・ローカル・ループ（ＷＬＬ）局、携帯情報端末（ＰＤＡ）、無線接続機能を有するハンドヘルド・デバイス、コンピューティング・デバイス、あるいは無線モデムに接続されたその他の処理デバイスでありうる。さらに、本明細書では、さまざまな実施形態が、基地局に関連して記載される。基地局は、アクセス端末との通信のために利用することができ、アクセス・ポイント、ノードＢ、イボルブド・ノードＢ（ｅＮｏｄｅＢ、ｅＮＢ）、あるいはその他のいくつかの用語で称されうる。
【００３０】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００３１】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００３２】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００３３】
基地局１０２は、アクセス端末１１６およびアクセス端末１２２のような１または複数アクセス端末と通信しうる。しかしながら、基地局１０２は、アクセス端末１１６、１２２に類似の実質的に任意の数のアクセス端末と通信しうることが認識されるべきである。アクセス端末１１６およびアクセス端末１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００による通信に適したその他任意のデバイスでありうる。図示するように、アクセス端末１１６は、アンテナ１１２、１１４と通信しており、ここでは、アンテナ１１２およびアンテナ１１４が、順方向リンク１１８によってアクセス端末１１６へ情報を送信し、逆方向リンク１２０によってアクセス端末１１６から情報を受信する。さらに、アクセス端末１２２は、アンテナ１０４、１０６と通信しており、ここでは、アンテナ１０４およびアンテナ１０６が、順方向リンク１２４によってアクセス端末１２２へ情報を送信し、逆方向リンク１２６によってアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００３４】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したアクセス端末１１６、１２２に送信するためにビームフォーミングを利用している間、近隣セル内のモバイル・デバイスは、すべてのアクセス端末に対して単一のアンテナによって送信している基地局に比べて、少ない干渉しか被らない。
【００３５】
システム１００は、マルチキャリア・ヘテロジニアス無線通信環境において、おのおののキャリア内で部分的周波数再使用（ＦＦＲ）を適用しうる。したがって、マルチキャリア・ヘテロジニアス無線通信環境は、異なる電力クラスの基地局を含みうる。例えば、基地局１０２は、マクロ・セル基地局、ピコ・セル基地局、フェムト・セル基地局、ミクロ・セル基地局等でありうる。さらに、（図示しない）近隣基地局（単数または複数）が、基地局１０２の近傍に位置し、これら近隣基地局（単数または複数）は、マクロ・セル基地局（単数または複数）、ピコ・セル基地局（単数または複数）、フェムト・セル基地局（単数または複数）、ミクロ・セル基地局（単数または複数）等でありうる。さらに、あるいは、その代わりに、マルチキャリア・ヘテロジニアス無線通信環境に含まれる基地局は、（例えば、オープン・アクセス基地局（単数または複数）、クローズド加入者グループ（ＣＳＧ）基地局（単数または複数）のような）異なるアクセス・クラスの基地局を含みうる。さらに、異なる電力クラスおよび／またはアクセス・クラスに属する基地局が、同じシステム帯域幅で動作しうる。本明細書における議論の多くは、マクロ・セル基地局（単数または複数）およびピコ・セル基地局（単数または複数）を含みうるヘテロジニアス無線通信環境に関する。しかしながら、本明細書における記述は、他のタイプの基地局（例えば、フェムト・セル基地局（単数または複数）、ミクロ・セル基地局（単数または複数）等）を含むヘテロジニアス無線通信環境へ拡張されうることが認識されるべきである。
【００３６】
システム１００では、複数のキャリアが導入されうる。したがって、基地局１０２は、ダウンリンクによって、複数のキャリアで、おのおののアクセス端末１１６、１２２へデータを送信し、および／または、アップリンクによって、複数のキャリアで、おのおののアクセス端末１１６、１２２からデータを受信しうる。本明細書に記載された例の多くは、３つのキャリアの利用に関連しているが、任意の数のキャリアが、特許請求の範囲のスコープ内にあることが意図されていることが認識されるべきである。
【００３７】
システム１００は、複数のキャリアのおのおの内での部分的周波数再使用スキームをサポートしうる。このような周波数再使用スキームは、従来のキャリア分配よりもより動的でありうる。例えば、おのおののキャリア帯域幅が、複数の周波数再使用セットに分割されうる。異なるチャネル条件のアクセス端末１１６、１２２は、異なる周波数再使用に関連付けられうるので、異なる周波数再使用セットに属しうる。ヘテロジニアス無線通信環境では、例えば基地局１０２のような基地局へ部分的周波数再使用を適用することによって、より精細な周波数リソース分配を用いて効率的に利用されうる共有キャリアが可能となりうる。基地局によって占有される帯域幅は時間にわたって変更される必要はないので、このような分割は、従来のキャリア分配よりもより高速に適応されうる。
【００３８】
図２を参照して、マルチキャリア・ヘテロジニアス無線通信環境において、ダウンリンクにおいてキャリア分割を導入するシステム２００の例が例示される。図示されるように、システム２００は、マクロ・セル基地局１  ２０２、マクロ・セル基地局２  ２０４、ピコ・セル基地局２０６、およびアクセス端末２０８を含んでいる。しかしながら、システム２００は、実質的に任意の数の基地局、および／または、実質的に任意の数のアクセス端末を含むことができ、例示された例に限定されないことが考慮される。システム２００は、キャリア分配の利用を説明しているが。権利主張される主題はこれに限定されないことが認識されるべきである。
【００３９】
図示するように、マクロ・セル基地局１  ２０２は、ダウンリンク有効通信範囲エリア２１０に関連付けられ、マクロ・セル基地局２  ２０２は、ダウンリンク有効通信範囲エリア２１２に関連付けられ、ピコ・セル基地局２０６は、ダウンリンク有効通信範囲エリア２１４に関連付けられうる。さらに、ピコ・セル基地局２０６は、マクロ・セル基地局２  ２０４のダウンリンク有効通信範囲エリア２１２内に位置しうる。
【００４０】
システム２００は、複数のダウンリンク・キャリアの利用をサポートしうる。例えば、３つのダウンリンク・キャリアが、システム２００で使用されうる。しかしながら、権利主張された主題は、それには限定されない。マルチキャリア・ヘテロジニアス・システム２００では、基地局２０２−２０６は、電力クラスおよび／またはアクセス・クラスが、残りのダウンリンク・キャリアで送信することを禁じられている間、一定の電力クラスおよび／またはアクセス・クラスにダウンリンク・キャリアのサブセットが割り当てられるように構成されうる。その結果、高電力の基地局（例えば、マクロ・セル基地局等）の近傍にある低電力の基地局（例えば、ミクロ・セル基地局、ピコ・セル基地局、フェムト・セル基地局等）は、高電力の基地局からのダウンリンク送信による干渉無く自己のアクセス端末にサービス提供するために、高電力の基地局によって使用されないキャリアを使用しうる。同様に、ＣＳＧ基地局（例えば、クローズド・ホーム・イボルブド・ノードＢ（Ｈｅ−ＮｏｄｅＢ）等）の近傍にあるオープン・アクセス基地局は、ＣＳＧ基地局からの干渉によるインパクトを受けること無く、自己のユーザにサービス提供するために、ＣＳＧ基地局によって使用されないキャリアを使用しうる。これによって、ＣＳＧ基地局のラジオ周波数（ＲＦ）有効通信範囲内の無許可ユーザに対するサービス停止を緩和する。異なる電力クラスの基地局のために別のキャリアを割り当てることによって、オープン・アクセス基地局の場合において、（例えば、パフォーマンス利益を達成するために、例えば比較的弱い基準信号受信電力（ＲＳＲＰ）のように、比較的弱いダウンリンク受信信号を持つ基地局にアクセス端末を関連付けることのような）範囲拡張を可能としうる。範囲拡張は、ネットワーク内の異なる基地局間で、より良好な負荷共有を達成するために使用され、この結果、ユーザ・スループット分配が著しく改善される。
【００４１】
（例えば、電力クラスおよび／またはアクセス・クラス等のような）異なるクラスの基地局に対するキャリア割当は、比較的遅い方式で更新されうるロング・タームなリソース分配スキームでありうる。例えば、キャリア割当に関する情報が、システム情報で、アクセス端末に伝送されうる。さらに、（例えば、移行期間を提供するために、および、データ喪失を回避するために、システム情報で示されるような）変更が有効になる前の期間が導入されうる。さらなる例によれば、追加のシステム情報が分配されうる。この例によれば、スムーズな移行をイネーブルするために、システム情報の第１の部分が、ある時間において有効になる新たなキャリア割当を識別し、システム情報の第２の部分が、一定の時間まで適用されるべき古い、有効なキャリア割当を識別しうる。
【００４２】
システム２００で図示されるように、同じ電力／アクセス・クラスの近隣基地局は、異なるキャリア割当を有しうる。例示された例によれば、（例えば、ダウンリンク有効通信範囲エリア２１０に対応するような）サイト１において、マクロ・セル基地局１  ２０２は、キャリア１、３が割り当てられる一方、ダウンリンク有効通信範囲エリア２１０内に位置するピコ・セル基地局（単数または複数）は、キャリア２が割り当てられうる。さらに、（例えば、ダウンリンク有効通信範囲エリア２１２に対応するような）サイト２において、マクロ・セル基地局２  ２０４は、キャリア１が割り当てられる一方、ダウンリンク有効通信範囲エリア２１２内に位置するピコ・セル基地局（単数または複数）（例えば、ピコ・セル基地局２０６）は、キャリア２、３が割り当てられうる。したがって、（例えば、ダウンリンク有効通信範囲エリア２１０内のような）マクロ・セル基地局１  ２０２に近接したピコ・セル基地局（単数または複数）は、マクロ・セル基地局１  ２０２からのダウンリンク干渉によってインパクトを受けることなく、キャリア２を使用しうる。同様に、（例えば、ダウンリンク有効通信範囲エリア２１２内のような）マクロ・セル基地局２  ２０４に近接したピコ・セル基地局（単数または複数）は、マクロ・セル基地局２  ２０４からのダウンリンク干渉によってインパクトを受けることなく、キャリア２、３を使用しうる。
【００４３】
ピコ・セル基地局（単数または複数）は、ピコ・セル基地局（単数または複数）がそれぞれ位置するダウンリンク有効通信範囲エリアに関連付けられた対応するマクロ・セル基地局に割り当てられたキャリア（単数または複数）を導入しうることがさらに考慮される。しかしながら、マクロ・セル基地局に割り当てられたキャリア（単数または複数）に対応するピコ・セル基地局（単数または複数）のためのダウンリンク有効通信範囲エリアは、ピコ・セル基地局（単数または複数）に割り当てられたキャリア（単数または複数）に対応するダウンリンク有効通信範囲エリアよりも著しく小さい。例えば、ダウンリンク有効通信範囲エリア２１０内に位置する（例えば、マクロ・セル基地局１  ２０２から離れてダウンリンク有効通信範囲エリア２１０の端部に向かって位置する）ピコ・セル基地局（単数または複数）は、キャリア１、３で（例えば、同期および／または制御チャネルのために）小さなダウンリンク有効通信範囲エリアを有しうるが、キャリア２では、著しく大きなダウンリンク有効通信範囲エリアを有しうる。同様に、ダウンリンク有効通信範囲エリア２１２内に位置する（例えば、マクロ・セル基地局２  ２０４から離れてダウンリンク有効通信範囲エリア２１２の端部に向かって位置する）ピコ・セル基地局（単数または複数）は、キャリア１で小さなダウンリンク有効通信範囲エリアを有しうるが、キャリア２、３では、著しく大きなダウンリンク有効通信範囲エリアを有しうる。
【００４４】
システム２００で図示された例では、キャリアのサブセットをマクロ・セル基地局２０２−２０４へ割り当てることによって、マクロ・セル基地局２０２−２０４の近傍にある複数のピコ・セル基地局（例えば、ピコ・セル基地局２０６、（図示しない）異種のピコ・セル基地局（単数または複数）等）は、マクロ・セル基地局２０２−２０４によって使用されていないキャリアで、有効通信範囲を著しく拡大できるようになる。したがって、ピコ・セル基地局は、戦略的なスケジューリング技術に基づいて、異なるキャリアで、それぞれのアクセス端末（単数または複数）にサービス提供できうる。
【００４５】
さらに、アクセス端末は、他のサイトにおいて、あるキャリア（単数または複数）で、他のマクロ・セル基地局（単数または複数）からの著しい干渉をレポートできうる。したがって、アクセス端末は、レポートされたこのような干渉を回避するために、別のキャリアでスケジュールされうる。例えば、図示するように、アクセス端末２０８は、（例えば、別のサイトに位置する）マクロ・セル基地局１  ２０２からのキャリア３における著しい干渉を、サービス提供ピコ・セル基地局２０６へレポートしうる。したがって、ピコ・セル基地局２０６は、アクセス端末２０８から取得されたレポートされた干渉に基づいて、アクセス端末２０８へのキャリア３でのダウンリンク送信を阻止しながら、キャリア２でアクセス端末２０８をスケジュールしうる。
【００４６】
別の例示によれば、セル間の追加的な干渉調整が行われうる。マクロ・セル基地局１  ２０２によって引き起こされた、キャリア３における著しい干渉を、サービス提供ピコ・セル基地局２０６へレポートする上記例によれば、ピコ・セル基地局２０６は、１または複数の干渉調整メカニズムを導入することにより、キャリア３でアクセス端末２０８をスケジュールしうる。例えば、干渉調整メカニズムは、干渉しているキャリアで、マクロ・セル基地局（単数または複数）の動的または準静的な電力調節（例えば、前述した例による、キャリア３におけるマクロ・セル基地局１  ２０２の電力調節）を含みうる。別の例によれば、干渉調整メカニズムは、干渉しているキャリア・リソースにおける、一定の時間／周波数再使用を含みうる。しかしながら、権利主張される主題は、これらに限定されない。
【００４７】
図３に移って、無線通信環境において、電力制御を用いて、ダウンリンクにおけるキャリア再使用を実施するシステム３００が例示される。システム３００は、マクロ・セル基地局３０２、ピコ・セル基地局３０４、および複数のアクセス端末（例えば、アクセス端末（ＡＴ）０  ３０６、アクセス端末１  ３０８、アクセス端末２  ３１０、およびアクセス端末３  ３１２等）を含みうる。システム３００は、（例えば、図２で説明したような）異なる基地局間での厳密なキャリア分配ではなく、異なる電力クラスおよび／またはアクセス・クラスの基地局による、キャリアの使用を可能にしうる。しかし、権利主張される主題は、システム３００に関連して説明したように、電力制御を導入することによってキャリア再使用を適用することに限定されないことが認識されるべきである。
【００４８】
例によれば、マルチキャリア・システム３００における構成要素キャリアは、以下のように分類されうる。構成要素キャリアは、制約の無い電力を持つ、オープン・アクセス共有キャリアでありうる。制約の無い電力を持つ、オープン・アクセス共有キャリアは、マクロ・セル基地局およびピコ・セル基地局によって、それぞれの最大電力まで使用されうる。さらに、制約の無い電力を持つ、オープン・アクセス共有キャリアは、（例えば、ＬＴＥリリース８のプライマリ同期信号（ＰＳＣ）チャネル、セカンダリ同期信号（ＳＳＣ）チャネル、物理ブロードキャスト・チャネル（ＰＤＣＨ）、物理ダウンリンク制御チャネル（ＰＤＣＣＨ）等のような）さまざまな送信のために、ＣＳＧ基地局による使用が禁じられうる。
【００４９】
構成要素キャリアの別のカテゴリは、低い電力を持つ、オープン・アクセス共有キャリアでありうる。低い電力を持つ、オープン・アクセス共有キャリアは、（例えば、可能な複数の電力クラスを持つ）低い電力を持つ、マクロ・セル基地局によって使用されうる。さらに、低い電力を持つ、オープン・アクセス共有キャリアは、フル電力を持つ、ピコ・セル基地局によって使用されうる。さらに、低い電力を持つ、オープン・アクセス共有キャリアは、（例えば、ＬＴＥリリース８のＰＳＣチャネル、ＳＳＣチャネル、ＰＤＣＨチャネル、ＰＤＣＣＨチャネルのような）さまざまな送信のために、ＣＳＧ基地局による使用が禁じられうる。
【００５０】
あるいは、構成要素キャリアは、低い電力を持つ、クローズド・アクセス・キャリアとして分類されうる。低い電力を持つ、クローズド・アクセス・キャリアは、ＣＳＧ基地局によって使用されうる。さらに、低い電力を持つ、クローズド・アクセス・キャリアは、（例えば、低い電力を持つ）マクロ・セル基地局、および／または、ピコ・セル基地局によって適用されうる。
【００５１】
この構成スキームは、アンカ・キャリア概念と関連しうる。基地局のアンカ・キャリアは、この基地局の有効通信範囲内のユーザに対する同期、キャンプ、およびアクセスを可能にするキャリアでありうる。検討中の構成の場合、基地局のアンカ・キャリア（単数または複数）は、基地局の制御チャネル（例えば、ＰＤＣＣＨ等）および同期（例えば、ＰＳＣ、ＳＳＣ、ＰＢＣＨ等）のための最良の有効通信範囲を提供するキャリア（単数または複数）を含みうる。特に、制約の無い電力を持つ、オープン・アクセス共有キャリアは、（例えば、マクロ・セル基地局３０２等のような）マクロ・セル基地局のアンカ・キャリアを象徴しうる。低電力のオープン・アクセス共有キャリアは、（例えば、ピコ・セル基地局３０４等のような）ピコ・セル基地局のアンカ・キャリアを象徴しうる。低電力のクローズド・アクセス・キャリアは、ＣＳＧ基地局のアンカ・キャリアを象徴しうる。したがって、所与の基地局によってサービス提供されるアクセス端末は、この基地局のアンカ・キャリア（単数または複数）をモニタしうる。さらに、専用ラジオ・リソース制御（ＲＲＣ）シグナリングが、アクセス端末に対して、アンカ・キャリア（単数または複数）のみならず、他のキャリアをモニタするように通知しうる。しかしながら、権利主張される主題は、それに限定されない。
【００５２】
図３に示されるように、キャリア１、３は、制約の無い電力を持つ、オープン・アクセス共有キャリアでありうる。これは、マクロ・セル基地局３０２およびピコ・セル基地局３０４によって、それぞれの最大電力まで使用されうる（例えば、ピコ・セル基地局３０４によって使用される最大電力レベルは、マクロ・セル基地局３０２によって使用される最大電力レベルに比べて低い）。さらに、キャリア２は、低電力のオープン・アクセス共有キャリアでありうる。これは、（例えば、マクロ・セル基地局３０２によって使用される最大電力レベルに対して）低減された電力で、マクロ・セル基地局３０２によって利用され、（例えば、設定による、低い）フル電力のピコ・セル基地局３０４によって使用されうる。
【００５３】
マクロ・セル基地局３０２は、キャリア１、３を用いている場合（例えば、制約の無い電力のオープン・アクセス共有キャリアを用いて、最大電力レベルで送信している場合）には、ダウンリンク有効通信範囲エリア３１４に関連付けられうる。さらに、マクロ・セル基地局３０２は、キャリア２を用いている場合（例えば、低電力のオープン・アクセス共有キャリアを用いて、低減された電力レベルで送信している場合）には、ダウンリンク有効通信範囲エリア３１６に関連付けられうる。ここで、ダウンリンク有効通信範囲エリア３１６は、ダウンリンク有効通信範囲エリア３１４よりも小さい。さらに、ピコ・セル基地局３０４が、ダウンリンク有効通信範囲エリア３１８に関連付けられうる。図示していないが、ピコ・セル基地局３０４は、別のキャリアの対応する別のサイズのダウンリンク有効通信範囲エリアに関連付けられうることが考慮される。
【００５４】
例示された例において、実線は、サービス提供基地局から、アクセス端末へのダウンリンク送信を示し、破線は、アクセス端末によって受信された、干渉元の基地局からのダウンリンク干渉を示しうる。図示するように、ピコ・セル基地局３０４は、アクセス端末０  ３０６およびアクセス端末１  ３０８にサービス提供しうる。ピコ・セル基地局３０４は、キャリア２で、アクセス端末０  ３０６およびアクセス端末１  ３０８をスケジュールしうる（例えば、キャリア２では、ダウンリンク干渉３２４およびダウンリンク干渉３２６は、弱いかまたは無いので、ダウンリンク送信３２０および／またはダウンリンク送信３２２が、キャリア２でスケジュールされうる）。さらに、あるいは、その代わりに、アクセス端末０  ３０６は、キャリア１および／またはキャリア３で、ピコ・セル基地局３０４によってスケジュールされうる（例えば、ダウンリンク送信３２０が、キャリア１および／またはキャリア３でスケジュールされうる）。なぜなら、キャリア１およびキャリア３では、アクセス端末０  ３０６によって観察される、マクロ・セル基地局３０２からの干渉（例えば、キャリア１、３におけるダウンリンク干渉３２４）は、これらキャリアにおいて、ピコ・セル基地局３０４から受信された信号電力（例えば、高い信号対干渉および雑音比（ＳＩＮＲ）等）と比べて弱くなりうるからである。対照的に、アクセス端末１  ３０８は、キャリア１、３で、マクロ・セル基地局３０２からの強い干渉を経験しうる（例えば、アクセス端末１  ３０８が、アクセス端末０  ３０６と比べて、マクロ・セル基地局３０２により近くに位置し、ダウンリンク有効通信範囲エリア３１８の端部により近く位置することによって、キャリア１、３におけるダウンリンク干渉３２６が強くなりうる）。したがって、マクロ・セル基地局３０２とピコ・セル基地局３０４の間で、その他の干渉調整が実行されない場合、アクセス端末１  ３０８は、ピコ・セル基地局３０４によって、キャリア２でスケジュールされうる（例えば、ダウンリンク送信３２２が、キャリア２でスケジュールされうる）。
【００５５】
さらに、図示されるように、マクロ・セル基地局３０２は、アクセス端末２  ３１０およびアクセス端末３  ３１２にサービス提供しうる。マクロ・セル基地局３０２は、キャリア１、３で、アクセス端末２  ３１０およびアクセス端末３  ３１２をスケジュールしうる（例えば、ダウンリンク干渉３３２およびダウンリンク干渉３３４は、キャリア１、３では弱いかまたは無いので、ダウンリンク送信３２８および／またはダウンリンク送信３３０が、キャリア１、３でスケジュールされうる）。さらに、あるいは、その代わりに、アクセス端末２  ３１０が、キャリア２でマクロ・セル基地局３０２によってスケジュールされうる（例えば、ダウンリンク送信３２８がキャリア２でスケジュールされうる）。なぜなら、アクセス端末２  ３１０は、マクロ・セル基地局３０２に十分近く、低電力のキャリア２（例えば、ダウンリンク干渉３３２はキャリア２で弱いかまたは無い）のダウンリンク有効通信範囲エリア（例えば、有効通信範囲の領域）３１６内にあるからである。対照的に、アクセス端末３  ３１２は、（例えば、キャリア２における低い送信電力によって、アクセス端末３  ３１２は、未だにキャリア１、３に関連付けられたダウンリンク有効通信範囲エリア３１４内にあるが）キャリア２に対応するダウンリンク有効通信範囲エリア３１６の外にあるので、アクセス端末３  ３１２は、キャリア２でスケジュールされることが禁じられうる。
【００５６】
次に図４に示すように、マルチキャリア・ヘテロジニアス無線通信環境におけるキャリアにおいて、部分的周波数再使用を適用するシステム４００が例示されている。システム４００は、情報、信号、データ、命令、コマンド、ビット、シンボル等を送信および／または受信しうるアクセス端末４０２を含む。アクセス端末４０２は、順方向リンクおよび／または逆方向リンクを介して基地局４０４と通信しうる。基地局４０４は、情報、信号、データ、命令、コマンド、ビット、シンボル等を送信および／または受信しうる。例えば、基地局４０４は、マクロ・セル基地局、ピコ・セル基地局、フェムト・セル基地局、ミクロ・セル基地局等でありうる。さらに、図示していないが、システム４００は、アクセス端末４０２と同等の任意の数のアクセス端末、および／または、基地局４０４と同等の任意の数の基地局を含みうることが考慮される。したがって、例えばマクロ・セル基地局（単数または複数）、ピコ・セル基地局（単数または複数）、フェムト・セル基地局（単数または複数）、ミクロ・セル基地局（単数または複数）、これらの組み合わせ等のような（図示しない）近隣基地局（単数または複数）が、基地局４０４の近傍内に位置しうる。
【００５７】
アクセス端末４０２は、干渉レポート構成要素４０６および受信構成要素４０８を含みうる。干渉レポート構成要素４０６は、アクセス端末４０２で観察されたダウンリンク・チャネル条件をモニタしうる。例えば、干渉レポート構成要素４０６は、１または複数のダウンリンク・キャリアにおけるダウンリンク信号強度および／または干渉レベルを測定しうる。別の例によれば、干渉レポート構成要素４０６は、（例えば、測定された干渉レベルがしきい値を超えているかを評価するために、）測定されたダウンリンク信号強度および／または干渉レベルを、それぞれのしきい値と比較しうる。さらに、干渉レポート構成要素４０６は、モニタされたダウンリンク・チャネル条件に関連するフィードバックを、基地局４０４へ送信しうる。基地局４０４は、部分的周波数再使用スキームの一部として、複数のキャリアからの周波数再使用セットを利用してアクセス端末４０２へのダウンリンク送信をスケジュールするために、（例えば、干渉レポート構成要素４０６によって生成された、）アクセス端末４０２からのフィードバックを導入しうる。さらに、受信構成要素４０８は、ダウンリンクで、基地局４０４によって送られたダウンリンク送信を取得しうる。
【００５８】
基地局４０４は、アクセス端末から観察されたダウンリンク・チャネル条件に関連するフィードバックの取得および分析を行うフィードバック評価構成要素４１０を含みうる。例えば、フィードバック評価構成要素４１０は、（例えば、干渉レポート構成要素４０６によって生成された）アクセス端末４０２からのフィードバックを受信しうる。さらに、フィードバック評価構成要素４１０は、アクセス端末４０２によって経験されたダウンリンク・チャネル条件（例えば、干渉レベル等）を認識しうる。例によれば、フィードバック評価構成要素４１０は、受信したフィードバックから、アクセス端末４０２が基地局４０４の近傍に位置しているか、あるいは、基地局４０４に関連付けられたダウンリンク有効通信範囲エリアの端部の近くに存在するかを検出しうる。
【００５９】
さらに、基地局４０４は、複数のキャリアを用いて、アクセス端末４０２（および異種のアクセス端末（単数または複数））へのダウンリンク送信をスケジュールするマルチキャリア・スケジューリング構成要素４１２を含みうる。マルチキャリア・スケジューリング構成要素４１２は、フィードバック評価構成要素４１０によって受信および／または分析されたダウンリンク・チャネル条件（例えば、干渉レベル等）に応じてダウンリンク送信をスケジュールしうる。
【００６０】
マルチキャリア・スケジューリング構成要素４１２はさらに、アクセス端末４０２へのダウンリンク送信のために、複数のキャリアから周波数再使用セット（単数または複数）を割り当てる周波数再使用セット割当構成要素４１４を含みうる。例えば、周波数再使用セット割当構成要素４１４は、（例えば、受信したフィードバックから、フィードバック評価構成要素４１０によって認識されたような）アクセス端末４０２によって経験された干渉レベルに基づいて、周波数再使用セット（単数または複数）を割り当てうる。さらに、周波数再使用セット割当構成要素４１４は、基地局４０４の電力クラスに応じて、周波数再使用セット（単数または複数）を割り当てうる。
【００６１】
例によれば、周波数再使用セット割当構成要素４１４は、マルチキャリア・ヘテロジニアス無線通信環境におけるおのおののキャリアから、少なくとも１つの周波数再使用セットを、ダウンリンク送信のためにアクセス端末４０２へ割り当てうる。別の例によれば、周波数再使用セット割当構成要素４１４は、マルチキャリア・ヘテロジニアス無線通信環境におけるキャリアのサブセットから、少なくとも１つの周波数再使用セットを、ダウンリンク送信のためにアクセス端末４０２へ割り当てうる。この例によれば、周波数再使用セット割当構成要素４１４は、サブセットに含まれていない残りのキャリア（単数または複数）からの周波数再使用セットを、アクセス端末４０２へ割り当てる必要はない。
【００６２】
マルチキャリア・ヘテロジニアス無線通信環境におけるおのおののキャリアは、複数の周波数再使用セットへ分割されうる。したがって、所与のキャリアの帯域幅全体が、複数の周波数再使用セットへ分離されうる。さらに、所与のキャリアからの周波数再使用セットは、所与のキャリアの帯域幅全体における周波数においてオーバラップしない。キャリアの周波数再使用セットへの分割は、予め定められているか、動的に選択されるか等であることが考慮される。本明細書に記載された例の多くは、３つの周波数再使用セットに分割された各キャリアに関連しているが、権利主張される主題はこれには限定されず、おのおののキャリアが、任意の数の周波数再使用セットへ分割されうるか、および／または、別のキャリアが、別の数の周波数再使用セットへ分割されうるものと認識されることが考慮される。
【００６３】
さらに、おのおのの周波数再使用セットは、基地局の各電力クラスについて、未制約の再使用セット（例えば、制約の無い再使用セット）、または、制約の有る再使用セットのうちの１つとして分類されうる。例によれば、特定のキャリアからの所与の周波数再使用セットは、ピコ・セル基地局については、制約の無い再使用セットとして、マクロ・セル基地局については、制約の有る再使用セットとして分類されうる。しかしながら、権利主張される主題は、前述した例に限定されないことが認識されるべきである。さらに、所与のキャリア内では、所与の電力クラスの基地局について、制約の無い再使用セットの数、対、制約された再使用セットの数は、所与のキャリアの分類が、高電力キャリア（例えば、制約の無い電力キャリア）であるか、あるいは低電力キャリアであるかに応じうる。
【００６４】
周波数再使用セット割当構成要素４１４は、ダウンリンク送信のためにアクセス端末４０２へ周波数再使用セット（単数または複数）を割り当てる場合、周波数再使用セット分類を導入しうる。例えば、周波数再使用セット割当構成要素４１４は、基地局４０４が低電力の基地局（例えば、ピコ・セル基地局、ミクロ・セル基地局、フェムト・セル基地局等）である場合、所与のキャリア内で、制約の無い再使用のために分類された周波数再使用セット（単数または複数）を割り当て、フィードバック評価構成要素４１０は、アクセス端末４０２が、所与のキャリアにおいて、（例えば、近隣のマクロ・セル基地局から）しきい値を超える干渉を受けていることを認識する。別の例によれば、基地局４０４がマクロ・セル基地局であり、フィードバック評価構成要素４１０が、アクセス端末４０２が特定のキャリアにおいて、（例えば、近隣の低電力の基地局から、）しきい値を超える干渉を受けていると認識した場合、周波数再使用セット割当構成要素４１４は、特定のキャリア内で、制約の無い再使用のために分類された周波数再使用セット（単数または複数）を割り当てうる。さらなる例によれば、基地局４０４が低電力の基地局であり、フィードバック評価構成要素４１０が、アクセス端末４０２が所与のキャリアにおいて、（例えば、近隣のマクロ・セル基地局から、）しきい値未満の干渉しか受けていないと認識した場合、周波数再使用セット割当構成要素４１４は、所与のキャリア内で、制約の無い再使用および制約の有る再使用の両方のために分類された周波数再使用セット（単数または複数）を割り当てうる。別の例によれば、基地局４０４がマクロ・セル基地局であり、フィードバック評価構成要素４１０が、アクセス端末４０２が所与のキャリアにおいて、（例えば、近隣の低電力の基地局から、）しきい値未満の干渉しか受けていないと認識した場合、周波数再使用セット割当構成要素４１４は、特定のキャリア内で、制約の無い再使用および制約の有る再使用の両方のために分類された周波数再使用セット（単数または複数）を割り当てうる。
【００６５】
さらに、基地局４０４は、電力制御構成要素４１６および送信構成要素４１８を含みうる。電力制御構成要素４１６は、送信構成要素４１８を使用して、基地局４０４によってダウンリンク送信が送られうる電力レベルを管理しうる。さらに、送信構成要素４１８は、アクセス端末４０２にダウンリンク送信を送りうる。電力制御構成要素４１６は、周波数再使用セット分類（例えば、制約の無い再使用か、制約の有る再使用か）、および／または、基地局４０４の電力クラスに応じて、周波数再使用セットのリソースを用いて、送信のための電力レベルを管理しうる。例えば、基地局４０４が低電力の基地局である場合、電力制御構成要素４１６は、制約の無い再使用または制約された再使用の何れかについて分類された周波数再使用セットのリソースで、フル電力レベル（例えば、低電力の基地局のフル電力レベル）でダウンリンク送信を送るように送信構成要素４１８を管理しうる。別の例によれば、基地局４０４がマクロ・セル基地局である場合、電力制御構成要素４１６は、制約の無い再使用について分類された周波数再使用セットのリソースで、フル電力レベル（例えば、高電力の基地局のフル電力レベル）でダウンリンク送信を送るように送信構成要素４１８を管理しうる。さらに、基地局４０４がマクロ・セル基地局であるこの例によれば、電力制御構成要素４１６は、制約の有る再使用について分類された周波数再使用セットのリソースで、低電力レベル（例えば、高電力の基地局の低電力レベル）でダウンリンク送信を送るように送信構成要素４１８を管理しうる。
【００６６】
図５を参照して、マルチキャリア・ヘテロジニアス無線通信環境におけるキャリア内で部分的周波数再使用を利用している場合、制御チャネル送信のジャミングを緩和するシステム５００が例示される。システム５００は、基地局４０４と、任意の数の異種の基地局（単数または複数）５０２を含みうる。例えば、基地局４０４は、マクロ・セル基地局、ピコ・セル基地局、フェムト・セル基地局、ミクロ・セル基地局等でありうる。さらに、異種の基地局５０２は、マクロ・セル基地局、ピコ・セル基地局、フェムト・セル基地局、ミクロ・セル基地局、これらの組み合わせ等を含みうる。図示していないが、システム５００は、（例えば、図４のアクセス端末４０２のような）任意の数のアクセス端末（単数または複数）を含みうることが認識されるべきである。
【００６７】
本明細書で説明するように、基地局４０４は、フィードバック評価構成要素４１０と、周波数再使用セット割当構成要素４１４を備えるマルチキャリア・スケジューリング構成要素４１２と、電力制御構成要素４１６と、送信構成要素４１８とを含みうる。さらに、基地局４０４は、制御チャンネル管理構成要素５０４を含みうる。図示していないが、異種の基地局（単数または複数）５０２は、同様の構成要素を含みうるが、しかしながら、権利主張された主題は、それには限定されないことが考慮される。
【００６８】
基地局４０４および異種の基地局（単数または複数）５０２はおのおの、ダウンリンク制御チャネルで制御情報を送信しうる。例えば物理ダウンリンク制御チャネル（ＰＤＣＣＨ）のようなダウンリンク制御チャネルは、サブ・フレーム内にＮ個の直交周波数分割多重化（ＯＦＤＭ）シンボルを含みうる。ここで、Ｎは、１、２または３（サブ・フレームにおける最初の１つ、２つ、または３つのＯＦＤＭシンボル）に等しい。さらに、ダウンリンク制御チャネルは、キャリアの周波数帯幅全体に及びうる。物理制御フォーマット・インジケータ・チャネル（ＰＣＦＩＣＨ）は、ＰＤＣＣＨ制御領域が、最初の１つ、２つ、または３つのＯＦＤＭシンボルを占有しているかを示すために、Ｎの値をシグナルしうる。
【００６９】
例によれば、基地局４０４は、マクロ・セル基地局であり、異種の基地局５０２のうちの１または複数は、ピコ・セル基地局（単数または複数）でありうる（例えば、ピコ・セル基地局（単数または複数）は、マクロ・セル基地局４０４の有効通信範囲内における、近傍のマクロ・セル基地局４０４でありうる）。この例によれば、制御チャンネル管理構成要素５０４は、低電力のキャリアで、サブ・フレームにおける最初のＭ個のシンボル中に、基地局４０４（例えば、マクロ・セル基地局４０４）が送信することを禁じうる。ここで、Ｍは、１、２または３に等しい。最初のＭ個のＯＦＤＭシンボル中に基地局４０４（例えば、マクロ・セル基地局４０４）による送信を禁ずることによって、（例えば、１または複数の異種の基地局（単数または複数）５０２のような）ピコ・セル基地局（単数または複数）は、最初のＭ個のＯＦＤＭシンボルを用いて、基地局４０４によるジャミング無く、低電力のキャリアの周波数帯域にわたって、それぞれの制御チャネル（単数または複数）を送信できるようになる。
【００７０】
上記例にしたがうと、例示するように、制御チャネル管理構成要素５０４は、ピコ・セル基地局（単数または複数）によって実際に利用されているＯＦＤＭシンボルの数に関わらず、Ｍの最大値を選択しうる。したがって、制御チャンネル管理構成要素５０４は、対応する制御チャネル（単数または複数）のためにピコ・セル基地局（単数または複数）によってそれぞれ使用されたＯＦＤＭシンボルの数に関わらず、低電力のキャリアで、サブ・フレームの最初の３つのＯＦＤＭシンボル中に、マクロ・セル基地局４０４がダウンリンク送信を送ることを禁止しうる。他の例示によれば、制御チャンネル管理構成要素５０４は、おのおのの送信期間（ＴＴＩ）中に、ピコ・セル基地局（単数または複数）のおのおのによって利用されたＯＦＤＭシンボルの数に関する情報を収集しうる。また、収集された情報で示されるＯＦＤＭシンボルの最大数は、Ｍに関する値として識別されうる。したがって、制御チャンネル管理構成要素５０４は、低電力のキャリアで識別されるようなサブ・フレームにおける最初のＭ個のＯＦＤＭシンボル中に、マクロ・セル基地局４０４がダウンリンク送信を送ることを禁止しうる。さらに、この例示によれば、Ｍの値は、時間とともに再評価されうる。しかしながら、権利主張された主題は、それには限定されない。
【００７１】
別の例によれば、基地局４０４はピコ・セル基地局でありうる。したがって、制御チャンネル管理構成要素５０４は、（例えば、ＰＣＦＩＣＨによるシグナリングによって、）ダウンリンク制御チャネルのために利用されるサブ・フレーム中のＯＦＤＭシンボルの数を示しうる。さらに、近隣のマクロ・セル基地局（単数または複数）が、低電力のキャリアにおけるサブ・フレーム中の最初のＭ個のＯＦＤＭシンボルにおける送信を禁止している間、ピコ・セル基地局４０４は、近隣のマクロ・セル基地局（単数または複数）によってジャミングされること無く、低電力のキャリアにおけるサブ・フレーム中の最初のＭ個のＯＦＤＭシンボルを用いて制御チャネル送信を送りうる。
【００７２】
上述したように、キャリア内の周波数再使用スキームは、（例えば、図２に示すような）キャリア分配に加えて適用されうる。周波数再使用スキームは、キャリア分配よりもより動的でありうる。周波数再使用スキームは、リリース８波形とともに使用された場合、制御領域および共通の基準信号（ＣＲＳ）の確実な受信に影響しうるので、キャリア帯域の動作が、部分的に、ロング・ターム・イボリューション・アドバンスト（ＬＴＥ−Ａ）アクセス端末によって導入されうる。
【００７３】
本明細書で注目されるように、キャリア帯域幅は、いくつかの周波数再使用セットに分割されうる。異なるチャネル条件のアクセス端末（複数）は、異なる再使用セットに属するので、異なる周波数再使用を有しうる。動的な部分的周波数再使用スキームでは、アクセス端末は、（例えば、マルチキャリア・スケジューリング構成要素４１２によって、周波数再使用セット割当構成要素４１４によって）パケット毎ベースでスケジュールされる可能性がある。おのおののアクセス端末は、おのおのの周波数再使用セットにおいて、（例えば、フィードバック評価構成要素４１０によって認識されたような長期の干渉の観点から）異なるチャネル望ましさを経験するので、周波数再使用セット割当構成要素によって設定された周波数再使用の割り当ては、チャネルの望ましさに基づきうる。
【００７４】
ヘテロジニアスなネットワークにおいて、部分的周波数再使用を基地局（複数）（例えば、セル（複数））に適用することによって、共有キャリアは、より精細な周波数リソース分配で、（例えば、制約の無い再使用セットにおいてフル電力で）効率的に利用されるようになる。このような部分的周波数再使用はまた、基地局によって占有される帯域幅が変更される必要がないことから、従来のキャリア分配よりもより迅速に適応されうる。
【００７５】
図６−７に移って、マルチキャリア・ヘテロジニアス無線通信環境における、共有キャリアのための部分的周波数再使用セット構成の例が図示される。図示された例は、３つの周波数再使用セットに分割されているキャリア帯域幅を示す。しかしながら、キャリア帯域幅は、任意の異なる数の周波数再使用セットへ分割されうることが認識されるべきである。さらに、周波数再使用セットのおのおのは、制約の有る再使用（例えば、制約の有る再使用セット）または制約の無い再使用（例えば、データ送信（ＴＸ））のに関するものとして分類され、送信のための電力レベル（例えば、フル電力、低電力の送信（ＴＸ））を割り当てられる。これらの構成は例示目的のために示されており、権利主張される主題はそれに限定されないことが認識されるべきである。
【００７６】
図６を参照して、低電力の共有キャリアのための部分的周波数再使用セット構成の例６０２、６０４が図示される。部分的周波数再使用セット構成６０２は、ピコ・セル基地局によって利用され、部分的周波数再使用セット構成６０４は、マクロ・セル基地局によって利用されうる。
【００７７】
ピコ・セル基地局のための部分的周波数再使用セット構成６０２は、低電力の共有キャリアの周波数帯域幅全体におよぶ制御領域６０６を含む。さらに、制御領域６０６は、サブ・フレームの最初の１つ、２つ、あるいは３つのＯＦＤＭシンボルを占有しうる。さらに、（例えば、制御領域６０６に関連付けられた周波数ストリップに含まれるシンボル（複数）以外の）残りのシンボルのためのキャリア帯域幅が、周波数再使用セットに分割されうる。特に、例示された例の場合、周波数再使用セットは、制約の無い再使用セット（例えば、データ送信（ＴＸ））、制約の有る再使用セット６１０、および、制約の無い再使用セット６１２（例えば、データＴＸ）を含みうる。図示するように、ピコ・セル基地局は、再使用セット６０８−６１２のうちの何れかを用いて、フル電力で送信を送りうる。しかしながら、権利主張された主題は、それには限定されない。
【００７８】
マクロ・セル基地局のための部分的周波数再使用セット構成６０４は、低電力の共有キャリアの周波数帯幅全体に及ぶ予約領域６１４を含みうる。マクロ・セル基地局は、予約領域６１４に含まれたリソースを利用して送信することが禁止されうる。さらに、予約領域６１４は、サブ・フレームの最初の１つ、２つ、または３つのＯＦＤＭシンボルを占有しうる。マクロ・セル基地局によって引き起こされたピコ・セル基地局へのジャミングを緩和するために、予約領域６１４が導入されうる。さらに、（例えば、予約領域６１４に関連付けられた周波数ストリップに含まれたシンボル（複数）以外の）残りのシンボルのキャリア帯域幅が、周波数再使用セット、すなわち、制約の有る再使用セット６１６、制約の無い再使用セット６１８（例えば、データＴＸ）、および制約の有る再使用セット６２０に分割されうる。マクロ・セル基地局は、制約の無い再使用セット６１８に関連付けられたリソースで、フル電力で送信を送りうる。さらに、マクロ・セル基地局は、制約の有る再使用セット６１６、６２０に関連付けられたリソースで、低電力で送信を送りうる。
【００７９】
マクロ・セル基地局のための部分的な周波数再使用セット構成６０４内では、これらリソースでアクセス端末（複数）にサービス提供するために、マクロ・セル基地局によって、低電力の共有キャリアにおいて、制約の無い再使用セット６１８（例えば、データＴＸ）が導入されうる。制約の無い再使用セット６１８のリソースは、マクロ・セル基地局のダウンリンク有効通信範囲エリア内の任意の場所に位置するアクセス端末（複数）にダウンリンク送信を送るために、マクロ・セル基地局によって使用されうる。さらに、マクロ・セル基地局の近傍内に位置するアクセス端末（複数）にサービス提供するために、低電力の共有キャリアにおいて、制約の有る再使用セット６１６、６２０のリソースが、マクロ・セル基地局によって利用されうる。
【００８０】
低電力の共有キャリアにおけるピコ・セル基地局の、制約の無い再使用セット６０８、６１２に対する、マクロ・セル基地局によって引き起こされた干渉を緩和するために、リリース８仕様とは別の共通基準信号（ＣＲＳ）構成が（例えば、恐らくは、マクロ・セル基地局について制約の無い再使用セット６１８では高電力で、制約の有る再使用セット６１６、６２０では低電力で）利用されうる。受信機パフォーマンスを改善するために、マクロ・セル基地局のために、制約の無い再使用セット６１８で専用参照信号（ＲＳ）が送信されうる。さらに、このキャリアでのピコ・セル基地局の制御領域６０６（例えば、ＰＤＣＣＨ領域）のジャミングを阻止するために、マクロ・セル基地局（複数）およびピコ・セル基地局（複数）は、互いに時間同期が図られ、マクロ・セル基地局は、（例えば、予約領域６１４に関連付けられた）これらリソースにおける送信を禁止しうる。別の例によれば、マクロ・セル基地局は、予約領域６１４のリソースにおいて、低い送信電力を使用しうる。しかしながら、権利主張される主題は、それに限定されない。あるいは、非同期構成の場合、マクロ・セル基地局の、制約の無い再使用セット６１８は、一般に、オーバラップが生じる場合、ピコ・セル基地局の部分的周波数再使用セット構成の制御領域６０６の一部と干渉しうる。
【００８１】
前述の記載は、低電力の共有キャリアにおけるマクロ・セル基地局の周波数再使用セットにおいて、下位互換性のない構成が利用されうることを示唆する。したがって、ＬＴＥ−Ａアクセス端末は、このようなリソースでスケジュールされうる。
【００８２】
図７を参照して、制約の無い電力の共有キャリアのための部分的周波数再使用セット構成７０２、７０４の例が図示される。部分的周波数再使用セット構成７０２は、ピコ・セル基地局によって利用されうる。また、部分的周波数再使用セット構成７０４は、マクロ・セル基地局によって利用されうる。
【００８３】
ピコ・セル基地局のための部分的周波数再使用セット構成７０２は、制約の無い電力の共有キャリアの周波数帯幅全体に及ぶ制御領域７０６を含む。さらに、制御領域７０６は、サブ・フレームの最初の１つ、２つ、または、３つのＯＦＤＭシンボルを占有しうる。さらに、（例えば、制御領域７０６に関連付けられた周波数ストリップに含まれたシンボル（複数）以外の）残りのシンボルのためのキャリア帯域幅が、周波数再使用セットに分割されうる。特に、図示された例の場合、周波数再使用セットは、制約の有る再使用セット７０８、制約の無い再使用セット７１０（例えば、データＴＸ）、および制約の有る再使用セット７１２を含みうる。図示するように、ピコ・セル基地局は、再使用セット７０８−７１２のうちの何れかを用いて、フル電力で送信を送りうる。しかしながら、権利主張された主題は、それには限定されない。
【００８４】
マクロ・セル基地局のための部分的周波数再使用セット構成７０４は、制約の無い電力の共有キャリアの周波数帯幅全体に及ぶ制御領域７１４を含みうる。制御領域７１４は、サブ・フレームの最初の１つ、２つ、または３つのＯＦＤＭシンボルを占有しうる。さらに、（例えば、制御領域７１４に関連付けられた周波数ストリップ内に含まれるシンボル（単数または複数）以外の）残りのシンボルのキャリア帯域幅が、周波数再使用セット、すなわち、制約の無い再使用セット７１６（例えば、データＴＸ）、制約の有る再使用セット７１８、および制約の無い再使用セット７２０（例えば、データＴＸ）に分割されうる。マクロ・セル基地局は、制約の無い再使用セット７１６、７２０に関連付けられたリソースで、フル電力で、送信を送りうる。さらに、マクロ・セル基地局は、制約された再使用セット７１８に関連付けられたリソースで、低電力で、送信を送りうる。
【００８５】
制約の無い電力を持つ共有キャリアにおけるマクロ・セル制約された再使用セット７１８は、（例えば、制約の無い再使用セット７１０に対応する）ピコ・セルにおいて、これらリソースでの範囲拡張を提供しうる。低電力の送信のために、マクロ・セル制約された再使用セット７１８が使用されうる。これは、他のセルとの干渉を緩和しうる。したがって、マクロ・セル制約された再使用セット７１８からのリソースが、極めて良好なチャネル条件（例えば、マクロ・セル基地局の近傍内に位置する）で、マクロ・セル基地局によってサービス提供されるアクセス端末（単数または複数）のために使用されうる。
【００８６】
制約の無い電力を持つ共有キャリアにおけるピコ・セル範囲拡張アクセス端末は、（例えば、高電力の送信のように）マクロ・セル制約された再使用セット７１６、７２０によって干渉を受ける領域において、制御チャネル問題を経験しうる。したがって、このようなキャリアにおけるピコ・セル範囲拡張アクセス端末のための制御チャネルが、制約の無い再使用セット７１０内に配置されうる。さらに、高い送信電力のため、マクロ・セルＣＲＳ高干渉が、ピコ・セル基地局によってサービス提供される範囲拡張を持つアクセス端末によってノッチ・アウトされうる。制約の無い再使用セット７１０において、ピコ・セル基地局によって提供されるＲＳが、マクロ・セル基地局からのＣＲＳと一致しないように提供される。これは、同期構成において達成可能でありうる。したがって、制約の無い電力を持つ共有キャリアにおいて、ピコ・セルによる制約の無いリソースにおける範囲拡張を可能にするために、これらリソースにおいて、下位互換性の無いピコ構成が導入されうる。
【００８７】
図８を参照して、マルチキャリア・ヘテロジニアス無線通信環境において、キャリア内で部分的周波数再使用を利用するシステム８００の例が示される。図３に同様に、システム８００は、マクロ・セル基地局８０２、ピコ・セル基地局８０４、および複数のアクセス端末（例えば、アクセス端末０  ８０６、アクセス端末１  ８０８、アクセス端末２  ８１０、アクセス端末３  ８１２等）を含みうる。さらに、マクロ・セル基地局８０２が、ダウンリンク有効通信範囲エリア８１４に関連付けられうる。また、ピコ・セル基地局８０４が、ダウンリンク有効通信範囲エリア８１６に関連付けられうる。
【００８８】
システム８００は、３つのキャリアを使用しうる。そして、キャリア１およびキャリア３は、制約の無い電力の共有キャリアでありうる。また、キャリア２は、低電力の共有キャリアでありうる。マクロ・セル基地局８０２およびピコ・セル基地局８０４は、キャリア１、３について、図７からのそれぞれの部分的周波数再使用セット構成７０２、７０４を適用しうる。そして、キャリア２について、図６からのそれぞれの部分的周波数再使用セット構成６０２、６０４を利用しうる。対照的に、図３に図示された例の場合、マクロ・セル基地局３０２およびピコ・セル基地局３０４は、３つのキャリアの帯域幅全体を使用することができ、キャリア帯域幅に及ぶ制約の無い再使用セットで、それぞれが属する電力クラスのフル電力で送信しうる。
【００８９】
キャリア２において、マクロ・セル基地局８０２のために、制約の無い再使用セットを用いることによって、これらリソースにおけるピコ・セル基地局８０４における範囲拡張が可能となる。図示された例によれば、アクセス端末０  ８０６およびアクセス端末１  ８０８は、ピコ・セル基地局８０４によってサービス提供されうる。そして、アクセス端末２  ８１０およびアクセス端末３  ８１２は、マクロ・セル基地局８０２によってサービス提供されうる。アクセス端末０  ８０６は、ピコ・セル基地局８０４の近傍内に位置するので、３つのキャリアのリソースにおいて、フル・ピコ（例えば、低い）電力を持つピコ・セル基地局８０４によってサービス提供されうる。さらに、アクセス端末１  ８０８は、キャリア１、２、３において、ピコ・セル基地局８０４のための制約の無い再使用セットにおいて、ピコ・セル基地局８０４によってサービス提供されうる。したがって、ピコ・セル基地局８０４のスケジューラは、制約の有る再使用セット・リソース・ブロック（ＲＢ）を認識しうる。そして、このようなリソースにおいて、例えばアクセス端末１  ８０８のような範囲拡張アクセス端末のスケジュールをスキップしうる。さらに、アクセス端末２  ８１０は、これら３つのキャリアにおいて、制約の有る再使用セットでは低電力で、制約の無い再使用セットではフル・マクロ（例えば、高い）電力であるが、マクロ・セル基地局８０２によってサービス提供されうる。さらに、アクセス端末３  ８１２は、キャリア１、２、３において、マクロ・セル基地局８０２のために、制約の無い再使用セットにおいてマクロ・セル基地局８０２によってサービス提供されうる。
【００９０】
図９−１０に示すように、マルチキャリア・ヘテロジニアス無線通信環境において、複数のキャリア内で部分的周波数再使用を利用することに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００９１】
図９を参照して、マルチキャリア・ヘテロジニアス無線通信環境において、キャリアを再使用することを容易にする方法９００が例示される。９０２では、少なくとも、第１のキャリア帯域幅からの周波数再使用セットの第１のサブセットと、第２のキャリア帯域幅からの周波数再使用セットの第２のサブセットとのリソースで、ダウンリンク送信がスケジュールされうる。例えば、アクセス端末によって経験された干渉レベル、第１のキャリア帯域幅および第２のキャリア帯域幅からの周波数再使用セットの分類、および／または、基地局の電力クラスのうちの１または複数に基づいて、少なくとも、第１のキャリア帯域幅からの周波数再使用セットの第１のサブセットと、第２のキャリア帯域幅からの周波数再使用セットの第２のサブセットとのリソースで、ダウンリンク送信がスケジュールされうる。例によれば、基地局は、高電力の基地局（例えば、マクロ・セル基地局）または低電力の基地局（例えば、ピコ・セル基地局、フェムト・セル基地局、ミクロ・セル基地局）でありうる。別の例によれば、基地局の周波数再使用セットのおのおのは、制約の無い再使用または制約の有る再使用のうちの１つに関するものとして分類されうる。基地局の周波数再使用セットのおのおのは、異なる基地局に対して異なって分類されうることが考慮される。この例によれば、第１のキャリア帯域幅が、複数の周波数再使用セットに分割され、第２のキャリア帯域幅が、複数の周波数再使用セットに分割されうる。例えば、所与のキャリア帯域幅からの複数の周波数再使用セットは、周波数においてオーバラップしない。さらに、基地局の電力クラスに基づいて、第１のキャリア帯域幅からの周波数再使用セットのおのおのが、制約の無い再使用または制約の有る再使用のうちの１つに関するものとして分類され、第２のキャリア帯域幅からの周波数再使用セットのおのおのが、制約の無い再使用または制約の有る再使用のうちの１つに関するものとして分類されうる。さらに、周波数再使用セットのおのおのが、キャリア電力レベル（例えば、低い電力を持つ共有キャリア、制約の無い電力を持つ共有キャリア）に応じて、制約の無い再使用または制約の有る再使用のうちの１つに関するものとして分類されうる。例えば、低電力を持つ共有キャリアで部分的周波数再使用を適用することによって、高電力の基地局によってサービス提供されるアクセス端末のために範囲を拡張する一方、制約の無い電力を持つ共有キャリアで部分的周波数再使用を利用することによって、低電力の基地局によってサービス提供されるアクセス端末にための範囲を拡張することが可能となる。別の例によれば、アクセス端末によって経験された干渉レベルは、（例えば、アクセス端末から取得された）受信したフィードバックに基づいて認識されうる。９０４では、リソースを、スケジュールされたように用いて、ダウンリンク送信が送られうる。
【００９２】
例によれば、基地局が低電力の基地局であり、アクセス端末が、制約の有る再使用セットにおいて、第１のキャリア帯域幅および第２のキャリア帯域幅から、しきい値を超える干渉を経験する場合、第１のキャリア帯域幅からの周波数再使用セットの第１のセットと、第２のキャリア帯域幅からの周波数再使用セットの第２のセットとが、制約の無い再使用セットを含みうる。したがって、ダウンリンク送信は、第１のキャリア帯域幅および第２のキャリア帯域幅からの、制約の無い再使用セットのリソースで、低電力の基地局のフル電力レベルで送信されうる。
【００９３】
別の例によれば、第１のキャリア帯域幅からの周波数再使用セットの第１のサブセットと、第２のキャリア帯域幅からの周波数再使用セットの第２のサブセットとは、基地局が高電力の基地局であり、アクセス端末が、第１のキャリア帯域幅と第２のキャリア帯域幅からの、制約の有る再使用セットにおいて、しきい値を超える干渉を受ける場合、制約の無い再使用セットを含みうる。したがって、ダウンリンク送信は、第１のキャリア帯域幅および第２のキャリア帯域幅から、制約の無い再使用セットのリソースで、高電力の基地局のフル電力レベルで送られうる。
【００９４】
さらなる例によれば、第１のキャリア帯域幅からの周波数再使用セットの第１のサブセットと、第２のキャリア帯域幅からの周波数再使用セットの第２のサブセットとは、基地局が低電力の基地局であり、アクセス端末が、第１のキャリア帯域幅と第２のキャリア帯域幅からの、制約の有る再使用セットにおいて、しきい値未満の干渉しか受けない場合、制約の無い再使用セットおよび制約の有る再使用セットを含みうる。この例によれば、第１のキャリア帯域幅と第２のキャリア帯域幅からの、制約の無い再使用セットと制約の有る再使用セットのリソースで、低電力の基地局のフル電力レベルでダウンリンク送信が送られうる。
【００９５】
また別の例によれば、第１のキャリア帯域幅からの周波数再使用セットの第１のサブセットと、第２のキャリア帯域幅からの周波数再使用セットの第２のサブセットとは、基地局が高電力の基地局であり、アクセス端末が、制約の有る再使用セットにおいて、第１のキャリア帯域幅と第２のキャリア帯域幅から、しきい値未満の干渉しか受けない場合、制約の無い再使用セットおよび制約の有る再使用セットを含みうる。したがって、第１のキャリア帯域幅と第２のキャリア帯域幅から、制約の無い再使用セットのリソースで、高電力の基地局のフル電力レベルでダウンリンク送信が送られうる。また、第１のキャリア帯域幅と第２のキャリア帯域幅から、制約の有る再使用セットのリソースで、高電力の基地局の低電力レベルでダウンリンク送信が送られうる。
【００９６】
さらに、第１のキャリア帯域幅および第２のキャリア帯域幅におよぶ最初のＭ個の直交周波数分割多重化（ＯＦＤＭ）シンボルは、（例えば、物理ダウンリンク制御チャネル（ＰＤＣＣＨ）のような）ダウンリンク制御チャネルによって制御情報を送信するために予約されたもの、あるいは、利用されるもののうちの１つでありうる。ここで、Ｍは、１、２、または３に等しい整数でありうる。Ｍの値は、（例えば、最大値に設定されたり、３に設定されることにより）予め定義されたり、近隣基地局（単数または複数）から（例えば、物理制御フォーマット・インジケータ・チャネル（ＰＣＦＩＣＨ）によってシグナルされて）受信されたインジケーションに基づいて決定される等でありうる。例えば、低い電力の共有キャリアの場合、最初のＭ個のシンボルが、高電力の基地局のために予約され、これによって、高電力の基地局は、低電力を持つ共有キャリアの帯域幅にわたって、最初のＭ個のＯＦＤＭシンボルを利用して送信を送ることを禁じられる。別の例によれば、最初のＭ個のＯＦＤＭシンボルが、低電力の基地局のために、低電力の共有キャリア、または、制約の無い電力の共有キャリアで動作する低電力の基地局のために、ダウンリンク制御チャネルによって制御情報を送信するために利用されうる。さらなる例によれば、制約の無い電力の共有キャリアで動作する高電力の基地局のために、ダウンリンク制御チャネルによって制御情報を送信するために、最初のＭ個のＯＦＤＭシンボルが適用されうる。さらに別の例によれば、制約の無い電力の共有チャネルにおける低電力の基地局のための制御チャネルが、低電力の基地局の制約の無い再使用セット内に配置されうる。
【００９７】
さらなる例によれば、第１のキャリア帯域幅または第２のキャリア帯域幅のうちの少なくとも１つからの周波数再使用セットの分類、基地局の電力クラス、キャリア電力レベル（例えば、低電力の共有キャリア、制約の無い電力の共有キャリア）に応じて、基準信号が設定されうる。この基準信号は、例えば、基準信号のために使用されるリソース、または、基準信号のために使用される電力レベルのうちの少なくとも１つを選択することによって設定されうる。例示によれば、基準信号は、マクロ・セル基地局のために、低電力の共有キャリアにおいて、制約の無い再使用セットにおける高電力、制約の有る再使用セットにおける低電力を使用するように設定されうる。
【００９８】
図１０に移って、マルチキャリア・ヘテロジニアス無線通信環境において、ダウンリンク送信を取得することを容易にする方法１０００が例示される。１００２では、ダウンリンク・チャネル条件が、モニタされうる。例えば、ダウンリンク信号強度および／または干渉レベルが、測定されうる。例によれば、測定されたダウンリンク信号強度および／または干渉レベルが、それぞれのしきい値と比較されうる。さらなる例によれば、ダウンリンク・チャネル条件が、おのおののダウンリンク・チャネルや、おのおのの周波数再使用セット等についてモニタされうる。１００４では、ダウンリンク・チャネル条件に対応するフィードバックが送信されうる。
【００９９】
１００６では、このフィードバックに少なくとも部分的に基づいて、少なくとも、割り当てられた第１のキャリア帯域幅からの周波数再使用セットの第１のサブセットと、第２のキャリア帯域幅からの周波数再使用セットの第２のサブセットのリソースで、ダウンリンク送信が受信されうる。さらに、少なくとも、第１のキャリア帯域幅からの周波数再使用セットの第１のサブセットと、第２のキャリア帯域幅からの周波数再使用セットの第２のサブセットとのリソースが、ダウンリンク送信が受信される基地局の電力クラス、および／または、第１のキャリア帯域幅および第２のキャリア帯域幅の周波数再使用セットの分類、のうちの１または複数に応じて割り当てられうる。例によれば、基地局は、高電力の基地局（例えば、マクロ・セル基地局）または低電力の基地局（例えば、ピコ・セル基地局、フェムト・セル基地局、ミクロ・セル基地局）でありうる。
【０１００】
他の例によれば、周波数再使用セットのおのおのは、制約の無い再使用または制約の有る再使用のうちの１つに関するものとして分類されうる。この例によれば、第１のキャリア帯域幅が、複数の周波数再使用セットに分割され、第２のキャリア帯域幅が、複数の周波数再使用セットに分割されうる。例えば、所与のキャリア帯域幅からの複数の周波数再使用セットは、周波数においてオーバラップしない。さらに、基地局の電力クラスに基づいて、第１のキャリア帯域幅からの周波数再使用セットのおのおのは、制約の無い再使用または制約の有る再使用のうちの１つに関するものとして分類され、第２のキャリア帯域幅からの周波数再使用セットのおのおのは、制約の無い再使用または制約の有る再使用のうちの１つに関するものとして分類されうる。さらに、周波数再使用セットのおのおのは、キャリア電力レベル（例えば、低電力の共有キャリア、制約の無い電力の共有キャリア）に応じて、制約の無い再使用または制約の有る再使用のうちの１つに関するものとして分類されうる。
【０１０１】
例によれば、第１のキャリア帯域幅からの周波数再使用セットの第１のサブセットと、第２のキャリア帯域幅からの周波数再使用セットの第２のサブセットとは、基地局が低電力の基地局であり、第１のキャリア帯域幅と第２のキャリア帯域幅からの、制約の有る再使用セットにおけるダウンリンク・チャネル条件が、しきい値を超える場合、制約の無い再使用セットを含みうる。他の例によれば、第１のキャリア帯域幅からの周波数再使用セットの第１のサブセットと、第２のキャリア帯域幅からの周波数再使用セットの第２のサブセットとは、基地局が高電力の基地局であり、第１のキャリア帯域幅と第２のキャリア帯域幅からの、制約の有る再使用セットにおけるダウンリンク・チャネル条件が、しきい値を超える場合、制約の無い再使用セットを含みうる。さらなる例によれば、第１のキャリア帯域幅からの周波数再使用セットの第１のサブセットと、第２のキャリア帯域幅からの周波数再使用セットの第２のサブセットとは、基地局が低電力の基地局であり、第１のキャリア帯域幅と第２のキャリア帯域幅からの、制約の有る再使用セットにおけるダウンリンク・チャネル条件が、しきい値を下回る場合、制約の無い再使用セットおよび制約の有る再使用セットを含みうる。さらなる例によれば、第１のキャリア帯域幅からの周波数再使用セットの第１のサブセットと、第２のキャリア帯域幅からの周波数再使用セットの第２のサブセットとは、基地局が高電力の基地局であり、第１のキャリア帯域幅と第２のキャリア帯域幅からの、制約の有る再使用セットにおけるダウンリンク・チャネル条件が、しきい値を下回る場合、制約の無い再使用セットおよび制約の有る再使用セットを含みうる。
【０１０２】
本明細書に記載された１または複数の態様によれば、マルチキャリア・ヘテロジニアス無線通信環境におけるキャリアにおいて、部分的周波数再使用を利用することに関して推論がなされうることが認識されるであろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【０１０３】
図１１は、マルチキャリア・ヘテロジニアス無線通信システム内で動作するアクセス端末１１００の例示である。アクセス端末１１００は、例えば、（図示しない）受信アンテナから信号を受信し、受信した信号について一般的な動作（例えば、フィルタ、増幅、ダウンコンバート等）を実行し、調整された信号をデジタル化してサンプルを得る（例えば、図４の受信構成要素４０８に実質的に類似した）受信機１１０２を備える。受信機１１０２は、例えばＭＭＳＥ受信機であり、受信したシンボルを復調し、それらをチャネル推定のためにプロセッサ１１０６へ送る復調器１１０４を備えうる。プロセッサ１１０６は、受信機１１０２によって受信された情報の分析、および／または、送信機１１１４による送信のための情報の生成に特化されたプロセッサ、アクセス端末１１００の１または複数の構成要素を制御するプロセッサ、および／または、受信機１１０２によって受信された情報の分析、送信機１１１４による送信のための情報の生成、アクセス端末１１００の１または複数の構成要素の制御の両方を行うプロセッサでありうる。
【０１０４】
アクセス端末１１００は、プロセッサ１１０６に動作可能に接続されたメモリ１１０８をさらに備える。このメモリは、送信されるべきデータ、受信したデータ、および、本明細書に記載されたさまざまな動作および機能を実行することに関連するその他任意の適切な情報を格納しうる。メモリ１１０８は、例えば、ダウンリンク・チャネル条件をモニタすること、ダウンリンク・チャネル条件に関連するフィードバックをレポートすること等に関連付けられたプロトコルおよび／またはアルゴリズムを格納しうる。
【０１０５】
本明細書に記載されたデータ・ストア（例えば、メモリ１１０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。例示によれば、限定することなく、ＲＡＭは、例えばスタティックＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ）のような多くの形式で利用可能である。主題となるシステムおよび方法のメモリ１１０８は、限定される訳ではないが、これらおよびその他任意の適切なタイプのメモリを備えることが意図される。
【０１０６】
プロセッサ１１０６は、干渉レポート構成要素１１１０に動作可能に接続されうる。干渉レポート構成要素１１１０は、図４の干渉レポート構成要素４０６に実質的に類似しうる。干渉レポート構成要素１１１０は、ダウンリンク・チャネル条件をモニタしうる。さらに、干渉レポート構成要素１１１０は、ダウンリンク・チャネル条件に対応するフィードバックを生成しうる。このフィードバックに少なくとも部分的に基づいて、アクセス端末１１００（例えば、受信機１１０２）は、少なくとも、第１のキャリア帯域幅からの周波数再使用セットの第１のサブセットと、第２のキャリア帯域幅からの周波数再使用セットの第２のサブセットとのリソースで、ダウンリンク送信を受信しうる。アクセス端末１１００はさらに、変調器１１１２と、データ、信号等を基地局へ送信する送信機１１１４とを備える。プロセッサ１１０６と別に図示されているが、干渉レポート構成要素１１１０および／または変調器１１１２は、プロセッサ１１０６または多くのプロセッサ（図示せず）の一部でありうることが認識されるべきである。
【０１０７】
図１２は、マルチキャリア・ヘテロジニアス無線通信環境において部分的周波数再使用を導入するシステム１２００の例示である。システム１２００は、複数の受信アンテナ１２０６によって、１または複数のアクセス端末１２０４から信号（単数または複数）を受信する受信機１２１０と、送信アンテナ１２０８によって１または複数のアクセス端末１２０４へ送信する（例えば、図４の送信機構成要素４１８に実質的に類似した）送信機１２２４とを有する、基地局１２０２（例えば、アクセス・ポイント等）を備える。受信機１２１０は、受信アンテナ１２０６から情報を受信する。さらに、受信した情報を復調する復調器１２１２と動作可能に関連付けられている。復調されたシンボルは、図１１に関連して上述されたプロセッサに類似し、メモリ１２１６に接続されたプロセッサ１２１４によって分析されうる。メモリ１２１６は、アクセス端末（単数または複数）１２０４との間で送信されるまたは受信されたデータ、および／または、本明細書に記載されたさまざまな動作および機能を実行することに関連するその他任意の適切な情報を格納する。プロセッサ１２１４はさらに、マルチキャリア・スケジューリング構成要素１２１８、および／または、電力制御構成要素１２２０に接続される。マルチキャリア・スケジューリング構成要素１２１８は、図４のマルチキャリア・スケジューリング構成要素４１２に実質的に類似し、および／または、電力制御構成要素１２２０は、図４の電力制御構成要素４１６に実質的に類似しうる。マルチキャリア・スケジューリング構成要素１２１８は、複数のキャリアを用いて、アクセス端末１２０４（単数または複数）へのダウンリンク送信をスケジュールしうる。ダウンリンク送信（単数または複数）は、複数のキャリアからの１または複数の周波数再使用セットでスケジュールされうる。さらに、電力制御構成要素１２２０は、ダウンリンク送信（単数または複数）が送られる電力レベルを管理しうる。さらに、図示していないが、基地局１２０２はさらに、（例えば、図４の周波数再使用セット割当構成要素４１４に実質的に類似した）周波数再使用セット割当構成要素、（例えば、図４のフィードバック評価構成要素４１０に実質的に類似した）フィードバック評価構成要素、および／または、（例えば、図５の制御チャネル管理構成要素５０４に実質的に類似した）制御チャンネル管理構成要素を含みうることが考慮される。基地局１２０２はさらに、変調器１２２２を含みうる。変調器１２２２は、前述の説明にしたがって、送信機１２２４によるアンテナ１２０８を経由したアクセス端末１２０４への送信のために、フレームを多重化しうる。プロセッサ１２１４と別に図示されているが、マルチキャリア・スケジューリング構成要素１２１８、電力制御構成要素１２２０、および／または、変調器１２２２は、プロセッサ１２１４または多くのプロセッサ（図示せず）のうちの一部でありうることが認識されるべきである。
【０１０８】
図１３は、無線通信システム１３００の例を示す。無線通信システム１３００は、簡潔さの目的のため、１つの基地局１３１０と１つのアクセス端末１３５０しか示していない。しかしながら、システム１３００は、１より多い基地局、および／または、１より多いアクセス端末を含みうることが認識されるべきである。ここで、追加の基地局および／またはアクセス端末は、以下に示す基地局１３１０およびアクセス端末１３５０の例と実質的に類似しうるか、あるいは、異なりうる。それに加えて、基地局１３１０および／またはアクセス端末１３５０は、その間の無線通信を容易にするために、本明細書に記載されたシステム（図１−５、８、１１−１２、１４−１５）および／または方法（図９−１０）を適用しうることが認識されるべきである。
【０１０９】
基地局１３１０では、多くのデータ・ストリームのためのトラフィック・データが、データ・ソース１３１２から送信（ＴＸ）データ・プロセッサ１３１４へ提供される。一例によれば、おのおののデータ・ストリームが、それぞれのアンテナを介して送信される。ＴＸデータ・プロセッサ１３１４は、トラフィック・データ・ストリームをフォーマットし、このデータ・ストリームのために選択された特定の符号化スキームに基づいて符号化し、インタリーブして、符号化されたデータを提供する。
【０１１０】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末１３５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１３３０によって実行または提供される命令によって決定されうる。
【０１１１】
データ・ストリームの変調シンボルは、（例えば、ＯＦＤＭのために）変調シンボルを処理するＴＸ  ＭＩＭＯプロセッサ１３２０に提供される。ＴＸ  ＭＩＭＯプロセッサ１３２０はその後、ＮＴ個のシンボル・ストリームを、ＮＴ個の送信機（ＴＭＴＲ）１３２２ａ乃至１３２２ｔへ提供する。さまざまな実施形態において、ＴＸ  ＭＩＭＯプロセッサ１３２０は、データ・ストリームのシンボル、および、そのシンボルが送信されるアンテナへ、ビームフォーミング重みを適用する。
【０１１２】
おのおのの送信機１３２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１３２２ａ乃至１３２２ｔからのＮＴ個の変調信号は、ＮＴ個のアンテナ１３２４ａ乃至１３２４ｔそれぞれから送信される。
【０１１３】
アクセス端末１３５０では、送信された変調信号が、ＮＲ個のアンテナ１３５２ａ乃至１３５２ｒによって受信され、おのおのの受信機１３５２から受信された信号が、それぞれの受信機（ＲＣＶＲ）１３５４ａ乃至１３５４ｒへ提供される。おのおのの受信機１３５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【０１１４】
ＲＸデータ・プロセッサ１３６０は、ＮＲ個の受信機１３５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１３６０は、検出されたおのおののシンボル・ストリームを復調し、デインタリーブし、復号して、そのデータ・ストリームのためのトラフィック・データを復元する。ＲＸデータ・プロセッサ１３６０による処理は、基地局１３１０におけるＴＸ  ＭＩＭＯプロセッサ１３２０およびＴＸデータ・プロセッサ１３１４によって実行されるものと相補的である。
【０１１５】
プロセッサ１３７０は、上述したように、利用可能などの技術を利用するのかを定期的に決定する。さらに、プロセッサ１３７０は、行列インデクス部およびランク値部を備えた逆方向リンク・メッセージを規定することができる。
【０１１６】
逆方向リンク・メッセージは、通信リンクおよび／または受信されたデータ・ストリームに関するさまざまなタイプの情報を備えうる。逆方向リンク・メッセージは、データ・ソース１３３６から多くのデータ・ストリームのトラフィック・データをも受信するＴＸデータ・プロセッサ１３３８によって処理され、変調器１３８０によって変調され、送信機１３５４ａ乃至１３５４ｒによって調整され、基地局１３１０へ送り戻される。
【０１１７】
基地局１３１０では、アクセス端末１３５０からの変調信号が、アンテナ１３２４によって受信され、受信機１３２２によって調整され、復調器１３４０によって復調され、ＲＸデータ・プロセッサ１３４２によって処理されることにより、アクセス端末１３５０によって送信された逆方向リンク・メッセージが抽出される。さらに、プロセッサ１３３０は、ビームフォーミング重みを決定するためにどの事前符号化行列を使用するかを決定するために、この抽出されたメッセージを処理する。
【０１１８】
プロセッサ１３３０およびプロセッサ１３７０は、基地局１３１０およびアクセス端末１３５０それぞれにおける動作を指示（例えば、制御、調整、管理等）する。プロセッサ１３３０およびプロセッサ１３７０はそれぞれ、プログラム・コードおよびデータを格納するメモリ１３３２およびメモリ１３７２に関連付けられうる。プロセッサ１３３０およびプロセッサ１３７０はまた、アップリンクおよびダウンリンクそれぞれのための周波数およびインパルス応答推定値を導出する計算をも実行する。
【０１１９】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）を備えうる。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するポイント・トゥ・マルチポイントＤＬチャネルのためのマルチキャスト・トラフィック・チャネル（ＭＴＣＨ）をも含みうる。
【０１２０】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされることによって、および、他の制御／トラフィック・チャネルのために使用されうる物理レイヤ（ＰＨＹ）リソースにマップされることによって、ＵＥ節電をサポートしうる（例えば、ネットワークによって、不連続受信（ＤＲＸ）サイクルが、ＵＥへ示されうる）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。
【０１２１】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【０１２２】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【０１２３】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【０１２４】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【０１２５】
図１４を参照して、マルチキャリア・ヘテロジニアス無線通信環境において、ダウンリンク送信のためのリソースを割り当てることをイネーブルするシステム１４００が例示される。例えば、システム１４００は、基地局内に少なくとも部分的に存在しうる。システム１４００は、プロセッサ、ソフトウェア、またはそれらの組み合わせ（例えば、ファームウェア）によって実現される機能を表す機能ブロックでありうる機能ブロックを含むものとして示されることが認識されるべきである。システム１４００は、連携して動作しうる電子構成要素の論理グループ１４０２を含む。例えば、論理グループ１４０２は、受信したダウンリンク・チャネル条件フィードバック、第１のキャリア帯域幅および第２のキャリア帯域幅からの周波数再使用セットの分類、基地局の電力クラスのうちの１または複数に基づいて、少なくとも、第１のキャリア帯域幅からの周波数再使用セットの第１のサブセットと、第２のキャリア帯域幅からの周波数再使用セットの第２のサブセットのリソースでダウンリンク送信をスケジュールするための電子構成要素１４０４を含みうる。さらに、論理グループ１４０２は、リソースを、スケジュールされたように用いて、ダウンリンク送信を送るための電子構成要素１４０６を含みうる。さらに、論理グループ１４０２は、オプションとして、受信したダウンリンク・チャネル条件フィードバックを評価するための電子構成要素１４０８を含みうる。論理グループ１４０２はまた、オプションとして、ダウンリンク送信が送られる電力レベルを制御するための電子構成要素１４１０を含みうる。さらに、システム１４００は、電子構成要素１４０４、１４０６、１４０８、１４１０に関連付けられた機能を実行するための命令群を保持するメモリ１４１２を含みうる。メモリ１４１２の外側にあると示されているが、電子構成要素１４０４、１４０６、１４０８、１４１０のうちの１または複数は、メモリ１４１２内に存在しうることが理解されるべきである。
【０１２６】
図１５を参照して、マルチキャリア・ヘテロジニアス無線通信環境において、ダウンリンク送信を受信することをイネーブルするシステム１５００が例示される。例えば、システム１５００は、アクセス端末内に存在しうる。システム１５００は、プロセッサ、ソフトウェア、またはそれらの組み合わせ（例えば、ファームウェア）によって実現される機能を表す機能ブロックでありうる機能ブロックを含むものとして示されることが認識されるべきである。システム１５００は、連携して動作しうる電子構成要素の論理グループ１５０２を含む。例えば、論理グループ１５０２は、ダウンリンク干渉を測定するための電子構成要素１５０４を含みうる。さらに、論理グループ１５０２は、ダウンリンク干渉をレポートするための電子構成要素１５０６を含みうる。さらに、論理グループ１５０２は、ダウンリンク干渉に少なくとも部分的に基づいて割り当てられた、少なくとも、第１のキャリア帯域幅からの周波数再使用セットの第１のサブセットと、第２のキャリア帯域幅からの周波数再使用セットの第２のサブセットとのリソースで、ダウンリンク送信を受信するための電子構成要素１５０８を含みうる。さらに、システム１５００は、電子構成要素１５０４、１５０６、１５０８に関連付けられた機能を実行するための命令群を保持するメモリ１５１０を含みうる。メモリ１５１０の外側にあると示されているが、電子構成要素１５０４、１５０６、１５０８のうちの１または複数は、メモリ１５１０内に存在しうることが理解されるべきである。
【０１２７】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
以下に、本願出願の当初の特許請求の範囲に記載された発明を付記する。
［Ｃ１］  マルチキャリア・ヘテロジニアス無線通信環境において、キャリアを再使用することを容易にする方法であって、
少なくとも、第１のキャリア帯域幅からの周波数再使用セットの第１のサブセットと、第２のキャリア帯域幅からの周波数再使用セットの第２のサブセットとのリソースで、ダウンリンク送信をスケジュールすることと、
前記リソースを、スケジュールされたように利用して、前記ダウンリンク送信を送ることと
を備える方法。
［Ｃ２］  基地局の電力クラス、前記第１のキャリア帯域幅および前記第２のキャリア帯域幅からの周波数再使用セットの分類、または、アクセス端末によって経験された干渉レベルのうちの１または複数に基づいて、少なくとも、前記第１のキャリア帯域幅からの周波数再使用セットの第１のサブセットと、前記第２のキャリア帯域幅からの周波数再使用セットの第２のサブセットとのリソースで、前記ダウンリンク送信をスケジュールすることをさらに備えるＣ１に記載の方法。
［Ｃ３］  前記基地局の周波数再使用セットのおのおのは、制約の無い再使用または制約の有る再使用のうちの１つに関するものとして分類されるＣ２に記載の方法。
［Ｃ４］  前記基地局の周波数再使用セットのおのおのは、異なる基地局に対して異なって分類されるＣ３に記載の方法。
［Ｃ５］  前記第１のキャリア帯域幅を、前記第１のキャリア帯域幅からの周波数再使用セットに分割することと、
前記第２のキャリア帯域幅を、前記第２のキャリア帯域幅からの周波数再使用セットに分割することと、
前記第１のキャリア帯域幅からの周波数再使用セットのおのおのを、前記基地局の電力クラスに応じて、制約の無い再使用または制約の有る再使用のうちの１つに関するものとして分類することと、
前記第２のキャリア帯域幅からの周波数再使用セットのおのおのを、前記基地局の電力クラスに応じて、制約の無い再使用または制約の有る再使用のうちの１つに関するものとして分類することと
をさらに備えるＣ２に記載の方法。
［Ｃ６］  前記第１のキャリア帯域幅からの周波数再使用セットのおのおのを、前記第１のキャリア帯域幅に関連付けられたキャリア電力レベルに応じて、制約の無い再使用または制約の有る再使用のうちの１つに関するものとして分類することと、
前記第２のキャリア帯域幅からの周波数再使用セットのおのおのを、前記第２のキャリア帯域幅に関連付けられたキャリア電力レベルに応じて、制約の無い再使用または制約の有る再使用のうちの１つに関するものとして分類することと
をさらに備えるＣ５に記載の方法。
［Ｃ７］  前記アクセス端末によって経験された干渉レベルを、受信されたフィードバックに基づいて識別することをさらに備えるＣ２に記載の方法。
［Ｃ８］  前記第１のキャリア帯域幅からの周波数再使用セットの第１のサブセットと、前記第２のキャリア帯域幅からの周波数再使用セットの第２のサブセットとは、前記基地局が低電力の基地局であり、前記第１のキャリア帯域幅と前記第２のキャリア帯域幅からの制約の有る再使用セットで前記アクセス端末によって経験された干渉レベルが、しきい値を超える場合、制約の無い再使用セットを含むＣ２に記載の方法。
［Ｃ９］  前記第１のキャリア帯域幅からの周波数再使用セットの第１のサブセットと、前記第２のキャリア帯域幅からの周波数再使用セットの第２のサブセットとは、前記基地局が高電力の基地局であり、前記第１のキャリア帯域幅と前記第２のキャリア帯域幅からの制約の有る再使用セットで前記アクセス端末によって経験された干渉レベルが、しきい値を超える場合、制約の無い再使用セットを含むＣ２に記載の方法。
［Ｃ１０］  前記第１のキャリア帯域幅からの周波数再使用セットの第１のサブセットと、前記第２のキャリア帯域幅からの周波数再使用セットの第２のサブセットとは、前記基地局が低電力の基地局であり、前記第１のキャリア帯域幅と前記第２のキャリア帯域幅からの制約の有る再使用セットで前記アクセス端末によって経験された干渉レベルが、しきい値未満である場合、制約の無い再使用セットと制約の有る再使用セットとを含むＣ２に記載の方法。
［Ｃ１１］  前記ダウンリンク送信を、前記第１のキャリア帯域幅および前記第２のキャリア帯域幅からの制約の無い再使用セットおよび制約の有る再使用セットのリソースで、低電力の基地局のフル電力レベルで送ることをさらに備えるＣ２に記載の方法。
［Ｃ１２］  前記第１のキャリア帯域幅からの周波数再使用セットの第１のサブセットと、前記第２のキャリア帯域幅からの周波数再使用セットの第２のサブセットとは、前記基地局が高電力の基地局であり、前記第１のキャリア帯域幅と前記第２のキャリア帯域幅からの制約の有る再使用セットで前記アクセス端末によって経験された干渉レベルがしきい値を下回る場合、制約の無い再使用セットと制約の有る再使用セットを含むＣ２に記載の方法。
［Ｃ１３］  前記ダウンリンク送信を、前記第１のキャリア帯域幅および前記第２のキャリア帯域幅からの制約の無い再使用セットのリソースで、高電力の基地局のフル電力レベルで送ることと、
前記ダウンリンク送信を、前記第１のキャリア帯域幅および前記第２のキャリア帯域幅からの制約の有る再使用セットのリソースで、前記高電力の基地局の低電力レベルで送ることと
をさらに備えるＣ２に記載の方法。
［Ｃ１４］  前記第１のキャリア帯域幅、または前記第２のキャリア帯域幅のうちの少なくとも１つが、低電力の共有キャリアに対応する場合、前記第１のキャリア帯域幅または前記第２のキャリア帯域幅のうちの少なくとも１つについて、キャリア帯域幅にわたって、サブ・フレーム内の予約された最初のＭ個の直交周波数分割多重化（ＯＦＤＭ）シンボルでの、高電力の基地局からの送信を禁止することをさらに備え、Ｍは整数であるＣ１に記載の方法。
［Ｃ１５］  Ｍの値は、物理制御フォーマット・インジケータ・チャネル（ＰＣＦＩＣＨ）によってシグナルされたもの、または、予め３と定義されたもののうちの少なくとも１つであるＣ１４に記載の方法。
［Ｃ１６］  キャリア電力レベル、基地局の電力クラス、および、前記第１のキャリア帯域幅または前記第２のキャリア帯域幅のうちの少なくとも１つからの周波数再使用セットの分類に応じて基準信号を設定することをさらに備えるＣ１に記載の方法。
［Ｃ１７］  前記基準信号を設定することはさらに、前記基準信号のために使用されるリソース、または、前記基準信号のために使用される電力レベルのうちの少なくとも１つを選択することを備えるＣ１６に記載の方法。
［Ｃ１８］  前記基準信号は、マクロ・セル基地局のために、低電力の共有キャリアで、制約の有る再使用セットにおける低電力、または、制約の無い再使用セットにおける高電力のうちの少なくとも１つを使用するように構成されたＣ１７に記載の方法。
［Ｃ１９］  前記低電力の基地局の、制約の無い再使用セット内の、制約の無い電力を持つ共有キャリアに、低電力の基地局の制御チャネルを配置することをさらに備えるＣ１に記載の方法。
［Ｃ２０］  無線通信装置であって、
基地局の電力クラス、第１のキャリア帯域幅および第２のキャリア帯域幅からの周波数再使用セットの分類、または、アクセス端末によって経験された干渉レベルのうちの１または複数に基づいて、少なくとも、前記第１のキャリア帯域幅からの周波数再使用セットの第１のサブセット、および、前記第２のキャリア帯域幅からの周波数再使用セットの第２のサブセットのリソースで、ダウンリンク送信をスケジュールすることと、
前記リソースを、スケジュールされたように用いて、前記ダウンリンク送信を送ることと、に関連する命令群を保持するメモリと、
前記メモリに接続され、前記メモリに保持された命令群を実行するように構成されたプロセッサと
を備える無線通信装置。
［Ｃ２１］  前記メモリはさらに、
前記第１のキャリア帯域幅を、前記第１のキャリア帯域幅からの周波数再使用セットに分割することと、
前記第２のキャリア帯域幅を、前記第２のキャリア帯域幅からの周波数再使用セットに分割することと、
前記第１のキャリア帯域幅からの周波数再使用セットのおのおのを、前記基地局の電力クラス、および、前記第１のキャリア帯域幅に関連付けられたキャリア電力レベルに応じて、制約の無い再使用または制約の有る再使用のうちの１つに関するものとして分類することと、
前記第２のキャリア帯域幅からの周波数再使用セットのおのおのを、前記基地局の電力クラス、および、前記第２のキャリア帯域幅に関連付けられたキャリア電力レベルに応じて、制約の無い再使用または制約の有る再使用のうちの１つに関するものとして分類することと、
に関連する命令群を保持するＣ２０に記載の無線通信装置。
［Ｃ２２］  前記メモリはさらに、
前記アクセス端末によって経験された干渉レベルを、受信されたフィードバックに基づいて認識すること、
に関連する命令群を保持するＣ２０に記載の無線通信装置。
［Ｃ２３］  前記第１のキャリア帯域幅からの周波数再使用セットの第１のサブセットと、前記第２のキャリア帯域幅からの周波数再使用セットの第２のサブセットとは、前記基地局が低電力の基地局であり、前記第１のキャリア帯域幅と前記第２のキャリア帯域幅からの制約の有る再使用セットで前記アクセス端末によって経験された干渉レベルが、しきい値を超える場合、制約の無い再使用セットを含むＣ２０に記載の無線通信装置。
［Ｃ２４］  前記第１のキャリア帯域幅からの周波数再使用セットの第１のサブセットと、前記第２のキャリア帯域幅からの周波数再使用セットの第２のサブセットとは、前記基地局が高電力の基地局であり、前記第１のキャリア帯域幅と前記第２のキャリア帯域幅からの制約の有る再使用セットで前記アクセス端末によって経験された干渉レベルが、しきい値を超える場合、制約の無い再使用セットを含むＣ２０に記載の無線通信装置。
［Ｃ２５］  前記第１のキャリア帯域幅からの周波数再使用セットの第１のサブセットと、前記第２のキャリア帯域幅からの周波数再使用セットの第２のサブセットとは、前記基地局が低電力の基地局であり、前記第１のキャリア帯域幅と前記第２のキャリア帯域幅からの制約の有る再使用セットで前記アクセス端末によって経験された干渉レベルが、しきい値未満である場合、制約の無い再使用セットと制約の有る再使用セットとを含むＣ２０に記載の無線通信装置。
［Ｃ２６］  前記メモリはさらに、
前記ダウンリンク送信を、前記第１のキャリア帯域幅および前記第２のキャリア帯域幅からの制約の無い再使用セットおよび制約の有る再使用セットのリソースで、低電力の基地局のフル電力レベルで送ること、
に関連する命令群を保持するＣ２０に記載の無線通信装置。
［Ｃ２７］  前記第１のキャリア帯域幅からの周波数再使用セットの第１のサブセットと、前記第２のキャリア帯域幅からの周波数再使用セットの第２のサブセットとは、前記基地局が高電力の基地局であり、前記第１のキャリア帯域幅と前記第２のキャリア帯域幅からの制約の有る再使用セットで前記アクセス端末によって経験された干渉レベルがしきい値を下回る場合、制約の無い再使用セットと制約の有る再使用セットを含むＣ２０に記載の無線通信装置。
［Ｃ２８］  前記メモリはさらに、
前記ダウンリンク送信を、前記第１のキャリア帯域幅および前記第２のキャリア帯域幅からの制約の無い再使用セットのリソースで、高電力の基地局のフル電力レベルで送ることと、
前記ダウンリンク送信を、前記第１のキャリア帯域幅および前記第２のキャリア帯域幅からの制約の有る再使用セットのリソースで、前記高電力の基地局の低電力レベルで送ることと、
に関連する命令群を保持するＣ２０に記載の無線通信装置。
［Ｃ２９］  前記メモリはさらに、前記第１のキャリア帯域幅、または前記第２のキャリア帯域幅のうちの少なくとも１つが、低電力の共有キャリアに対応する場合、前記第１のキャリア帯域幅または前記第２のキャリア帯域幅のうちの少なくとも１つについて、キャリア帯域幅にわたって、サブ・フレーム内の予約された最初のＭ個の直交周波数分割多重化（ＯＦＤＭ）シンボルでの高電力の基地局からの送信を禁止することに関連する命令群を保持し、Ｍは整数であるＣ２０に記載の無線通信装置。
［Ｃ３０］  Ｍの値は、物理制御フォーマット・インジケータ・チャネル（ＰＣＦＩＣＨ）によってシグナルされたもの、または、予め３と定義されたもののうちの少なくとも１つであるＣ２９に記載の無線通信装置。
［Ｃ３１］  前記メモリはさらに、基準信号のために使用されるリソース、または、前記基準信号のために使用される電力レベルのうちの少なくとも１つを選択することによって、前記第１のキャリア帯域幅または前記第２のキャリア帯域幅のうちの少なくとも１つからの周波数再使用セットの分類、基地局の電力クラス、および、キャリア電力レベルに応じて前記基準信号を設定すること、に関連する命令群を保持するＣ２０に記載の無線通信装置。
［Ｃ３２］  前記メモリはさらに、前記低電力の基地局の、制約の無い再使用セット内の、制約の無い電力を持つ共有キャリアに、低電力の基地局の制御チャネルを配置すること、に関連する命令群を保持するＣ２０に記載の無線通信装置。
［Ｃ３３］  マルチキャリア・ヘテロジニアス無線通信環境において、リソースを割り当てることをイネーブルする無線通信装置であって、
基地局の電力クラス、第１のキャリア帯域幅および第２のキャリア帯域幅からの周波数再使用セットの分類、または、受信されたダウンリンク・チャネル条件フィードバックに基づいて、少なくとも、前記第１のキャリア帯域幅からの周波数再使用セットの第１のサブセットと、前記第２のキャリア帯域幅からの周波数再使用セットの第２のサブセットのリソースで、ダウンリンク送信をスケジュールする手段と、
前記リソースを、スケジュールされたように用いて、前記ダウンリンク送信を送る手段と
を備える無線通信装置。
［Ｃ３４］  前記受信されたダウンリンク・チャネル条件フィードバックを評価する手段をさらに備えるＣ３３に記載の無線通信装置。
［Ｃ３５］  前記ダウンリンク送信が送られる電力レベルを制御する手段をさらに備えるＣ３３に記載の無線通信装置。
［Ｃ３６］  コンピュータ読取可能媒体を備えたコンピュータ・プログラム製品であって、
前記コンピュータ読取可能媒体は、
少なくとも、第１のキャリア帯域幅からの周波数再使用セットの第１のサブセットと、第２のキャリア帯域幅からの周波数再使用セットの第２のサブセットとのリソースを、ダウンリンク送信のために割り当てるためのコードと、
前記割り当てられたリソースによって、前記ダウンリンク送信を送るためのコードとを備えるコンピュータ・プログラム製品。
［Ｃ３７］  前記リソースは、基地局の電力クラス、前記第１のキャリア帯域幅および前記第２のキャリア帯域幅からの周波数再使用セットの分類、または、アクセス端末によって示された干渉レベルに基づいて割り当てられるＣ３６に記載のコンピュータ・プログラム製品。
［Ｃ３８］  前記コンピュータ読取可能媒体はさらに、前記第１のキャリア帯域幅および前記第２のキャリア帯域幅からの周波数再使用セットのおのおのを、制約の無い再使用または制約の有る再使用のうちの１つに関するものとして分類するためのコードを備えるＣ３６に記載のコンピュータ・プログラム製品。
［Ｃ３９］  前記コンピュータ読取可能媒体はさらに、前記ダウンリンク送信が送られる電力レベルを制御するためのコードを備えるＣ３６に記載のコンピュータ・プログラム製品。
［Ｃ４０］  無線通信装置であって、
アクセス端末によって経験された干渉レベルを、受信されたフィードバックに基づいて認識し、
基地局の電力クラス、第１のキャリア帯域幅および第２のキャリア帯域幅からの周波数再使用セットの分類、または、前記アクセス端末によって経験された干渉レベルのうちの１または複数に基づいて、少なくとも、前記第１のキャリア帯域幅からの周波数再使用セットの第１のサブセットと、前記第２のキャリア帯域幅からの周波数再使用セットの第２のサブセットのリソースで、ダウンリンク送信をスケジュールし、
前記リソースを、スケジュールされたように用いて、前記ダウンリンク送信を送る、ように構成されたプロセッサを備える無線通信装置。
［Ｃ４１］  マルチキャリア・ヘテロジニアス無線通信環境において動作することを容易にする方法であって、
ダウンリンク・チャネル条件をモニタすることと、
前記ダウンリンク・チャネル条件に対応するフィードバックを送信することと、
前記フィードバックに少なくとも部分的に基づいて割り当てられた、少なくとも、第１のキャリア帯域幅からの周波数再使用セットの第１のサブセットと、第２のキャリア帯域幅からの周波数再使用セットの第２のサブセットのリソースで、ダウンリンク送信を受信することと
を備える方法。
［Ｃ４２］  前記第１のキャリア帯域幅からの周波数再使用セットの第１のサブセットと、前記第２のキャリア帯域幅からの周波数再使用セットの第２のサブセットのリソースは、基地局の電力クラス、または、前記第１のキャリア帯域幅と前記第２のキャリア帯域幅とからの周波数再使用セットの分類のうちの１または複数に応じて割り当てられるＣ４１に記載の方法。
［Ｃ４３］  前記周波数再使用セットのおのおのは、前記基地局の電力クラスと、それぞれのキャリア電力レベルとに応じて、制約の無い再使用または制約の有る再使用のうちの１つに関するものとして分類されるＣ４１に記載の方法。
［Ｃ４４］  前記第１のキャリア帯域幅からの周波数再使用セットの第１のサブセットと、前記第２のキャリア帯域幅からの周波数再使用セットの第２のサブセットとは、前記基地局が低電力の基地局であり、前記第１のキャリア帯域幅および前記第２のキャリア帯域幅からの、制約の有る再使用セットにおけるダウンリンク・チャネル条件が、しきい値を超える場合、制約の無い再使用セットを含むＣ４１に記載の方法。
［Ｃ４５］  前記第１のキャリア帯域幅からの周波数再使用セットの第１のサブセットと、前記第２のキャリア帯域幅からの周波数再使用セットの第２のサブセットとは、前記基地局が高電力の基地局であり、前記第１のキャリア帯域幅および前記第２のキャリア帯域幅からの、制約の有る再使用セットにおけるダウンリンク・チャネル条件が、しきい値を超える場合、制約の無い再使用セットを含むＣ４１に記載の方法。
［Ｃ４６］  前記第１のキャリア帯域幅からの周波数再使用セットの第１のサブセットと、前記第２のキャリア帯域幅からの周波数再使用セットの第２のサブセットとは、前記基地局が低電力の基地局であり、前記第１のキャリア帯域幅と前記第２のキャリア帯域幅からの、制約の有る再使用セットにおけるダウンリンク・チャネル条件が、しきい値を下回る場合、制約の無い再使用セットおよび制約の有る再使用セットを含むＣ４１に記載の方法。
［Ｃ４７］  前記第１のキャリア帯域幅からの周波数再使用セットの第１のサブセットと、前記第２のキャリア帯域幅からの周波数再使用セットの第２のサブセットとは、前記基地局が高電力の基地局であり、前記第１のキャリア帯域幅と前記第２のキャリア帯域幅からの、制約の有る再使用セットにおけるダウンリンク・チャネル条件が、しきい値を下回る場合、制約の無い再使用セットおよび制約の有る再使用セットを含むＣ４１に記載の方法。
［Ｃ４８］  無線通信装置であって、
ダウンリンク・チャネル条件をモニタすることと、
前記ダウンリンク・チャネル条件に対応するフィードバックを送信することと、
前記フィードバック、基地局の電力クラス、および、第１のキャリア帯域幅および第２のキャリア帯域幅からの周波数再使用セットの分類に基づいて割り当てられた、少なくとも、前記第１のキャリア帯域幅からの周波数再使用セットの第１のサブセットと、前記第２のキャリア帯域幅からの周波数再使用セットの第２のサブセットのリソースで、ダウンリンク送信を受信することと、
に関連する命令群を保持するメモリと、
前記メモリに接続され、前記メモリに保持された命令群を実行するように構成されたプロセッサと
を備える無線通信装置。
［Ｃ４９］  前記周波数再使用セットのおのおのは、前記基地局の電力クラスと、それぞれのキャリア電力レベルとに応じて、制約の無い再使用または制約の有る再使用のうちの１つに関するものとして分類されるＣ４８に記載の無線通信装置。
［Ｃ５０］  前記メモリはさらに、前記第１のキャリア帯域幅および前記第２のキャリア帯域幅からの周波数再使用セットのおのおのについて、前記ダウンリンク・チャネル条件をモニタすること、に関連する命令群を保持するＣ４８に記載の無線通信装置。
［Ｃ５１］  マルチキャリア・ヘテロジニアス無線通信環境において動作することをイネーブルする無線通信装置であって、
ダウンリンク干渉を測定する手段と、
前記ダウンリンク干渉をレポートする手段と、
前記ダウンリンク干渉に少なくとも部分的に基づいて割り当てられた、少なくとも、第１のキャリア帯域幅からの周波数再使用セットの第１のサブセット、および、第２のキャリア帯域幅からの周波数再使用セットの第２のサブセットのリソースで、ダウンリンク送信を受信する手段と
を備える無線通信装置。
［Ｃ５２］  前記周波数再使用セットのおのおのは、基地局の電力クラスと、それぞれのキャリア電力レベルとに応じて、制約の無い再使用または制約の有る再使用のうちの１つに関するものとして分類されるＣ５１に記載の無線通信装置。
［Ｃ５３］  少なくとも、前記第１のキャリア帯域幅からの周波数再使用セットの第１のサブセットと、前記第２のキャリア帯域幅からの周波数再使用セットの第２のサブセットのリソースは、基地局の電力クラス、または、前記第１のキャリア帯域幅と前記第２のキャリア帯域幅とからの周波数再使用セットの分類のうちの１または複数に応じて割り当てられるＣ５１に記載の無線通信装置。
［Ｃ５４］  コンピュータ読取可能媒体を備えたコンピュータ・プログラム製品であって、
前記コンピュータ読取可能媒体は、
測定されたダウンリンク干渉をレポートするためのコードと、
前記測定されたダウンリンク干渉に少なくとも部分的に基づいて割り当てられた、少なくとも、第１のキャリア帯域幅からの周波数再使用セットの第１のサブセットと、第２のキャリア帯域幅からの周波数再使用セットの第２のサブセットのリソースで、ダウンリンク送信を取得するためのコードと
を備えるコンピュータ・プログラム製品。
［Ｃ５５］  前記周波数再使用セットのおのおのは、基地局の電力クラスと、それぞれのキャリア電力レベルとに応じて、制約の無い再使用または制約の有る再使用のうちの１つに関するものとして分類されるＣ５４に記載のコンピュータ・プログラム製品。
［Ｃ５６］  少なくとも、前記第１のキャリア帯域幅からの周波数再使用セットの第１のサブセットと、前記第２のキャリア帯域幅からの周波数再使用セットの第２のサブセットのリソースは、基地局の電力クラス、または、前記第１のキャリア帯域幅と前記第２のキャリア帯域幅とからの周波数再使用セットの分類のうちの１または複数に応じて割り当てられるＣ５４に記載のコンピュータ・プログラム製品。
［Ｃ５７］  無線通信装置であって、
ダウンリンク・チャネル条件をモニタし、
前記ダウンリンク・チャネル条件に対応するフィードバックを送信し、
前記フィードバック、基地局の電力クラス、および、第１のキャリア帯域幅と第２のキャリア帯域幅からの周波数再使用セットの分類に基づいて割り当てられた、少なくとも、前記第１のキャリア帯域幅からの周波数再使用セットの第１のサブセットと、前記第２のキャリア帯域幅からの周波数再使用セットの第２のサブセットのリソースで、ダウンリンク送信を受信する、
ように構成されたプロセッサを備える無線通信装置。
【図１】
0005362849.tif 000002
【図２】
0005362849.tif 000003
【図３】
0005362849.tif 000004
【図４】
0005362849.tif 000005
【図５】
0005362849.tif 000006
【図６】
0005362849.tif 000007
【図７】
0005362849.tif 000008
【図８】
0005362849.tif 000009
【図９】
0005362849.tif 000010
【図１０】
0005362849.tif 000011
【図１１】
0005362849.tif 000012
【図１２】
0005362849.tif 000013
【図１３】
0005362849.tif 000014
【図１４】
0005362849.tif 000015
【図１５】
0005362849.tif 000016